(57)【特許請求の範囲】
【請求項１】
紙、織布および不織布からなる群から選ばれた少なくとも１種の繊維状基材に、
タンニンを含有するカキノキ属（Diospyros）の植物の果実の搾汁または抽出液を加熱またはアルコールで処理することによりその中に含有されていた当該カキノキ属の植物に由来する酵素を失活させて得られたカキ抽出物処理物を有効成分とする、Ａ型インフルエンザウイルス属のエンベロープウイルスに対する抗ウイルス剤と、
アルコール、界面活性剤、抗菌剤（エタノール、有機酸およびその塩を除く）および保湿剤のいずれか１種以上の成分と
を含有する抗ウイルス性組成物を含浸させた抗ウイルス性衛生用繊維製品であって、
前記カキ抽出物処理物（固形分換算）が前記抗ウイルス剤組成物全体に対して１〜５重量％の割合である、抗ウイルス性衛生用繊維製品。
【請求項２】
前記カキ抽出物処理物が少なくとも縮合型タンニンを含有するものである、請求項１に記載の抗ウイルス性衛生用繊維製品。
【請求項３】
前記カキノキ属の植物がカキノキ（Diospyros kaki）である、請求項１または２に記載の抗ウイルス性衛生用繊維製品。
【請求項４】
前記抗ウイルス剤が、さらに、カテキン類、ワットルタンニン、ペンタガロイルグルコース、ピロガロール、および有機酸および／またはその塩（カキ抽出物処理物中のものを除く）からなる群より選ばれた少なくとも１種を有効成分として含有する、請求項１〜３のいずれかに記載の抗ウイルス性衛生用繊維製品。
【請求項５】
前記エンベロープウイルスとして、ヒト型インフルエンザウイルスまたはトリ型インフルエンザウイルスを対象とする、請求項１〜４のいずれかに記載の抗ウイルス性衛生用繊維製品。
【請求項６】
少なくとも、請求項１〜５のいずれかに記載の抗ウイルス剤とアルコールとを含有する抗ウイルス性組成物を含浸させた、請求項１〜５のいずれかに記載の抗ウイルス性衛生用繊維製品。
【請求項７】
少なくとも、請求項１〜５のいずれかに記載の抗ウイルス剤と界面活性剤とを含有する抗ウイルス性組成物を含浸させた、請求項１〜５のいずれかに記載の抗ウイルス性衛生用繊維製品。
【請求項８】
少なくとも、請求項１〜５のいずれかに記載の抗ウイルス剤と抗菌剤（エタノール、有機酸およびその塩を除く。）とを含有する抗ウイルス性組成物を含浸させた、請求項１〜５のいずれかに記載の抗ウイルス性衛生用繊維製品。
【請求項９】
少なくとも、請求項１〜５のいずれかに記載の抗ウイルス剤と保湿剤とを含有する抗ウイルス性組成物を含浸させた、請求項１〜５のいずれかに記載の抗ウイルス性衛生用繊維製品。
【請求項１０】
前記抗ウイルス性組成物がさらにビタミンＣ類を含有するものである、請求項６〜９のいずれかに記載の抗ウイルス性衛生用繊維製品。
【請求項１１】
前記抗ウイルス性組成物が有機酸および／またはその塩（前記カキ抽出物処理物中のものを除く）を当該組成物のｐＨが６．０〜２．０となる量で含有するものである、請求項６〜１０のいずれかに記載の抗ウイルス性衛生用繊維製品。
【請求項１２】
ティッシュ、ウェットティッシュ、ナプキン、ウェットナプキン、タオルまたはウェットタオルの形態をとる、請求項６〜１１のいずかに記載の抗ウイルス性衛生用繊維製品。
【請求項１３】
マスク、マスク内補助クロス、衛生用衣類、抗ウイルス性フィルターまたは抗ウイルス性エアコンフィルターの形態をとる、請求項６〜１１のいずかに記載の抗ウイルス性衛生用繊維製品。
【発明の詳細な説明】
【技術分野】
【０００１】
本発明は、非エンベロープウイルスまたはエンベロープウイルスに対する抗ウイルス活性に優れた抗ウイルス性衛生用繊維製品、たとえば、ティッシュ、ナプキン、タオル、マスク、衛生用衣類、抗ウイルス性フィルターなどに関する。【０００２】
さらに詳しくは、本発明は、非エンベロープウイルス（たとえばノロウイルス、コクサッキーウイルス、アデノウイルスなどのヒト病原ウイルス、ウイルス性神経壊死症ウイルス（ＮＮＶ）、アクアビルナウイルス（ＡＢＶ）、マダイイリドウイルス（ＲＳＩＶ）などの魚病ウイルス、ネコの感染症の病原体となるネコカリシウイルス）またはエンベロープウイルス（たとえばヒト型インフルエンザウイルス、トリ型インフルエンザウイルス、単純ヘルペスウイルス１型、ニューカッスル病ウイルス、水疱性口内炎ウイルスなどのヒトまたは家畜の病原ウイルスや、ウイルス性出血性敗血症ウイルスなどの魚病ウイルス）に対する効果に優れかつ人体に対する安全性も高い、タンニンを含有するカキノキ属の植物の抽出物（カキ抽出物）、カテキン類、ワットルタンニン、ペンタガロイルグルコース、コーヒータンニン、没食子酸アルキルエステル、ピロガロール、没食子酸、五倍子タンニンなどを有効成分とする抗ウイルス剤を繊維に含浸させることにより、抗ウイルス活性に優れた抗ウイルス性衛生用繊維製品を提供し、上記ウイルスの消毒や感染予防手段を提供するものである。
【背景技術】
【０００３】
一般的にウイルス病は、抗生物質などが効果を示さないため治療が困難であり、ヒトや家畜などの動物に対して大きな問題となっている。近年、ＳＡＲＳや鳥インフルエンザが話題となったことは記憶に新しいところあり、また、養殖魚でもウイルス病が大きな問題となっている。このようなウイルスの消毒や感染予防に有用な衛生用繊維製品に対しては、大きな需要があるものと考えられる。【０００４】
ところで、柿の実の抽出液を発酵して得られる「柿渋」は、古くから中国において血圧降下等のために漢方薬として用いられ、日本においても民間薬として親しまれているものである。この柿渋はタンニンを豊富に含有し、収斂性（タンパク質等と結合して組織を引き締める性質）のほか、抗菌作用や消臭作用を有するといわれている。なお、カキノキに含有されるタンニン（縮合型タンニン）の構造や精製方法に関しては下記の２つの学術論文（Matsuo and Itoo, 1981a/1981b：非特許文献１および２）を参照することができる。【０００５】
このような柿渋ないし柿のタンニンを含有する組成物としては、たとえば、柿渋抽出物をさらに取り扱い性や抗菌性を向上させるためにシクロデキストリンで包含した上で配合した抗菌性歯科用組成物（特開２００５−２３２０４３号公報：特許文献１）、霊芝胞子に含まれるペプチド多糖類などの成分にさらに柿渋を添加混合した制癌剤および抗肺炎ビールス剤（特開２００４−３３１６４１号公報：特許文献２）が提案されている。【０００６】
また、特開２００６−２０６５５８号公報（特許文献３）には、タンニン物質、脂肪酸エステル類、キレート剤などを含有する抗菌性組成物が記載されており（［請求項１］）、当該タンニン物質としてはタンニン酸、ピロカテキン、没食子酸、柿タンニン、茶タンニン、五倍子タンニンなどが挙げられている（［請求項４］）。しかしながら、この抗菌性組成物の有効性は、タンニン酸を用いた場合における大腸菌および黄色ブドウ球菌に対してのものしか実証されておらず（［実施例］）、上記タンニン物質、特に柿タンニンが顕著な非エンベロープウイルスに対する抗ウイルス性を有すること、したがって抗ウイルス性組成物の成分として極めて重要であることは何ら具体的に開示されていない。【０００７】
特開２００６−３０６８３６号公報（特許文献４）には、特定のフェノール誘導体が各種非エンベロープまたはエンベロープウイルスの不活性化剤として有効であると記載されており、フェノール誘導体としては没食子酸アルキルエステル、（ｎ−プロピルガレート、ｎ−オクチルガレート、カテキンガレート、ガロカテキンガレート、エピカテキンガレート等）が例示されている。しかしながら実施例では、単純ヘルペスウイルス１型（ＨＳＶ−１）および水疱性口内炎ウイルス（ＶＳＶ）に対してｎ−オクチルガレートが抗ウイルス活性を有することは具体的に示されているものの、緑茶タンニンに含まれるカテキンガレート等が抗ウイルス活性を有するかどうかは実証されていない。【０００８】
特表２００４−５２９８８９号公報（特許文献５）には、Ｃ１〜Ｃ３アルコール（たとえばエタノール）またはＣ２〜Ｃ４ジオールと、組成物のｐＨを４．６以下に調整するために十分な量の酸（たとえば有機酸）を含有する組成物がエンベロープウイルスの不活性化作用を有することが記載されている。しかしながら実施例では、口唇ヘルペスウイルス（ＨＳＶ−１）に対してエタノールと塩酸、グリコール酸またはコハク酸とを含有する溶液が抗ウイルス活性を有することしか具体的に示されていない。【０００９】
さらに、特表２０００−５１０１５２号公報（特許文献６）、特表２００２−５０５８９４号公報（特許文献７）および特表２００３−５１１１７７号公報（特許文献８）には、クエン酸等の有機カルボン酸などを含有するローションで処理された抗ウイルス性テイッシュペーパーが開示されており、インフルエンザウイルスやライノウイルスを死滅させる効果を有することが記載されている。【００１０】
このように、ウイルスの不活性化剤としては種々のものが提案されているが、従来から食品として摂取されているような安全な素材を用い、かつエンベロープウイルスおよび非エンベロープウイルスを含む広範なウイルスの感染予防や消毒を行うことのできる製品はまだ提案されていない。【００１１】
なお、本発明者らはこれまでに、カキ抽出物を用いた、食中毒および感染性胃腸炎の原因となるノロウイルスに対する抗ウイルス剤およびこれを用いた抗ノロウイルス性組成物（ＰＣＴ/ＪＰ２００８/０６０７０５）、ならびにカキ抽出物およびその他特定のタンニンないしタンニン様物質を用いた、非エンベロープウイルスに対する抗ウイルス剤およびこれを用いた抗ウイルス性組成物（ＰＣＴ／ＪＰ２００９／０５６６３５）を出願している。また、杉山ら（非特許文献３）は、柿渋タンニンが強い抗ノロウイルス性作用を示すことや、これを消毒剤（エタノール製剤）に用いることの可能性を記載している。
【先行技術文献】
【特許文献】
【００１２】
【特許文献１】特開２００５−２３２０４３号公報
【特許文献２】特開２００４−３３１６４１号公報
【特許文献３】特開２００６−２０６５５８号公報
【特許文献４】特開２００６−３０６８３６号公報
【特許文献５】特表２００４−５２９８８９号公報
【特許文献６】特表２０００−５１０１５２号公報
【特許文献７】特表２００２−５０５８９４号公報
【特許文献８】特表２００３−５１１１７７号公報
【非特許文献】
【００１３】
【非特許文献１】MATSUO, Tomoaki and ITOO, Saburo (1981a): Comparative Studies of Condensed Tannins from Several Young Fruits.  J. Japan. Soc. Hort. Sci., 50(2), 262-269.
【非特許文献２】MATSUO, Tomoaki and ITOO, Saburo (1981b): A Simple and Rapid Purification Method of Condensed Tannins from Several Young Fruits.  Agric. Biol. Chem., 45(8), 1885-1887.
【非特許文献３】杉山裕, 中井義昭, 辻徹, 島本整, 植物由来成分の抗ノロウイルス作用の検討と新規エタノール製剤の開発, 日本食品微生物学会学術総会講演要旨集, 2007, Vol.28th, p.56
【発明の概要】
【発明が解決しようとする課題】
【００１４】
本発明は、非エンベロープウイルスまたはエンベロープウイルスの不活性化作用に優れかつ人体に対する安全性も高い抗ウイルス剤を含浸させた抗ウイルス性衛生用繊維製品、たとえば、ティッシュ、ナプキン、タオル、マスク、衛生用衣類、抗ウイルス性フィルターなどを提供し、簡単にウイルスの消毒や感染予防をすることができる手段を提供することを目的とする。
【課題を解決するための手段】
【００１５】
本発明者らは、上記課題を解決するため、食品あるいは食品添加物として認められている物質や植物成分、すなわち口にしても安全な素材の中から抗ウイルス活性を有する物質の探索を行ったところ、タンニンを含有するカキノキ属の植物の抽出物、カテキン類、ワットルタンニン、ペンタガロイルグルコース、コーヒータンニン、没食子酸アルキルエステル、ピロガロール、没食子酸、五倍子タンニンなどが広範な非エンベロープウイルスまたはエンベロープウイルスに対する顕著な抗ウイルス活性を有することを見出し、これらの有効成分を含浸させた繊維製品が抗ウイルス性衛生用繊維製品となることを見出したことにより、本発明を完成させるに至った。【００１６】
本発明の概要は下記のとおりである。
［１］紙、織布および不織布からなる群から選ばれた少なくとも１種の繊維状基材に、タンニンを含有するカキノキ属（Diospyros）の植物の果実の搾汁または抽出液を加熱またはアルコールで処理することによりその中に含有されていた当該カキノキ属の植物に由来する酵素を失活させて得られたカキ抽出物処理物を有効成分とする、非エンベロープウイルスまたはエンベロープウイルスに対する抗ウイルス剤を含浸させた抗ウイルス性衛生用繊維製品。
［２］前記カキ抽出物処理物が少なくとも縮合型タンニンを含有するものである、［１］に記載の抗ウイルス性衛生用繊維製品。
［３］前記カキノキ属の植物がカキノキ（Diospyros kaki）である、［１］または［２］に記載の抗ウイルス性衛生用繊維製品。
［４］前記抗ウイルス剤が、さらに、カテキン類、ワットルタンニン、ペンタガロイルグルコース、コーヒータンニン、没食子酸アルキルエステル（カキ抽出物処理物中のものを除く）、ピロガロール、没食子酸、五倍子タンニンおよび有機酸および／またはその塩（カキ抽出物処理物中のものを除く）からなる群より選ばれた少なくとも１種を有効成分として含有する、［１］〜［３］のいずれかに記載の抗ウイルス性衛生用繊維製品。
［５］前記非エンベロープウイルスとして、ノロウイルス属、ベータノダウイルス属、アクアビルナウイルス属、ラナウイルス属、エンテロウイルス属、マストアデノウイルス属、ベシウイルス属またはロタウイルス属に属する非エンベロープウイルスを対象とする、［１］〜［４］のいずれかに記載の抗ウイルス性衛生用繊維製品。
［６］前記非エンベロープウイルスとして、ノロウイルス、神経壊死症ウイルス、伝染性膵臓壊死ウイルス、マダイイリドウイルス、コクサッキーウイルス、アデノウイルス、ネコカリシウイルスまたはロタウイルスを対象とする、［５］に記載の抗ウイルス性衛生用繊維製品。
［７］前記エンベロープウイルスとして、Ａ型インフルエンザウイルス属、ベシクロウイルス属、単純ウイルス属、アビュラウイルス属、またはノビラブドウイルス属に属するエンベロープウイルスを対象とする、［１］〜［４］のいずれかに記載の抗ウイルス性衛生用繊維製品。
［８］前記エンベロープウイルスとして、ヒト型インフルエンザウイルス、トリ型インフルエンザウイルス、水疱性口内炎ウイルス、単純ヘルペスウイルス１型、ニューカッスル病ウイルス、またはウイルス性出血性敗血症ウイルスを対象とする、［７］に記載の抗ウイルス性衛生用繊維製品。
［９］  少なくとも、［１］〜［８］のいずれかに記載の抗ウイルス剤とアルコールとを含有する抗ウイルス性組成物を含浸させた、［１］〜［８］のいずれかに記載の抗ウイルス性衛生用繊維製品。
［１０］少なくとも、［１］〜［８］のいずれかに記載の抗ウイルス剤と界面活性剤とを含有する抗ウイルス性組成物を含浸させた、［１］〜［８］のいずれかに記載の抗ウイルス性衛生用繊維製品。
［１１］少なくとも、［１］〜［８］のいずれかに記載の抗ウイルス剤と抗菌剤（エタノール、有機酸およびその塩を除く。）とを含有する抗ウイルス性組成物を含浸させた、［１］〜［８］のいずれかに記載の抗ウイルス性衛生用繊維製品。
［１２］少なくとも、［１］〜［８］のいずれかに記載の抗ウイルス剤と保湿剤とを含有する抗ウイルス性組成物を含浸させた、［１］〜［８］のいずれかに記載の抗ウイルス性衛生用繊維製品。
［１３］前記抗ウイルス性組成物がさらにビタミンＣ類を含有するものである、［９］〜［１２］のいずれかに記載の抗ウイルス性衛生用繊維製品。
［１４］前記抗ウイルス性組成物が有機酸および／またはその塩（前記カキ抽出物処理物中のものを除く）を当該組成物のｐＨが６．０〜２．０となる量で含有するものである、［９］〜［１３］のいずれかに記載の抗ウイルス性衛生用繊維製品。
［１５］前記抗ウイルス剤中のカキ抽出物処理物（固形分換算）が抗ウイルス性組成物全体に対して０．０１〜５重量％の割合である、［９］〜［１４］のいずれかに記載の抗ウイルス性衛生用繊維製品。
［１６］ティッシュ、ウェットティッシュ、ナプキン、ウェットナプキン、タオルまたはウェットタオルの形態をとる、［９］〜［１５］のいずかに記載の抗ウイルス性衛生用繊維製品。
［１７］マスク、マスク内補助クロス、衛生用衣類、抗ウイルス性フィルターまたは抗ウイルス性エアコンフィルターの形態をとる、［９］〜［１５］のいずかに記載の抗ウイルス性衛生用繊維製品。【００１７】
本発明の抗ウイルス性衛生用繊維製品に含浸される抗ウイルス剤のカキ抽出物としては、カキノキ属の植物の果実の搾汁または抽出液を、加熱またはアルコールで処理することにより、その中に含有されていた当該カキノキ属の植物に由来する酵素を失活させて得られたもの（カキ抽出物処理物）が望ましく、また、少なくとも縮合型タンニンを含有するもの、たとえばカキノキ（Diospyros kaki）から得られるものが好ましい。【００１８】
また、本発明の抗ウイルス性衛生用繊維製品に含浸される抗ウイルス剤としては、対象とする非エンベロープウイルスまたはエンベロープウイルスによっては、カキ抽出物の他に、カテキン類（カテキン、エピカテキン、エピガロカテキン、エピカテキンガレート、エピガロカテキンガレート等）、ワットルタンニン、ペンタガロイルグルコース、コーヒータンニン、没食子酸アルキルエステル（カキ抽出物またはその処理物中のものを除く）、ピロガロール、没食子酸、五倍子タンニン、有機酸および／またはその塩（カキ抽出物またはその処理物中のものを除く）などを有効成分として使用することもできる。これらの抗ウイルス剤の有効成分は、それぞれ１種単独で用いても、複数を組み合わせて用いてもよい。【００１９】
このような抗ウイルス剤は、アルコール、界面活性剤、抗菌剤（エタノール、有機酸およびその塩を除く。）、保湿剤などと組み合わせた抗ウイルス性組成物として、繊維製品に含浸させることが好適である。このようにすることにより、非エンベロープウイルスまたはエンベロープウイルスに対する抗ウイルス活性に優れた抗ウイルス性衛生用繊維製品が得られる。【００２０】
前記抗ウイルス剤（固形分換算）は、抗ウイルス性組成物全体に対して０．０１〜５重量％の割合で含有することが好ましい。また、有機酸および／またはその塩を組成物のｐＨが６．０〜２．０となる量で含有することも好ましい。さらに上記の抗ウイルス性組成物は、ビタミンＣ類を含有することも好ましい。【００２１】
上記抗ウイルス性組成物は、一つの態様において、少なくとも前記抗ウイルス剤とアルコールとを含有し、さらに水や界面活性剤を含有してもよいアルコール製剤として本発明の繊維製品に含浸される。【００２２】
上記抗ウイルス性組成物は、一つの態様において、少なくとも前記抗ウイルス剤と界面活性剤とを含有する洗浄用組成物として本発明の繊維製品に含浸される。【００２３】
上記抗ウイルス性組成物は、一つの態様において、少なくとも前記抗ウイルス剤と抗菌剤（エタノール、有機酸およびその塩を除く。）とを含有する消毒用組成物として本発明の繊維製品に含浸される。【００２４】
上記抗ウイルス性組成物は、一つの態様において、少なくとも前記抗ウイルス剤と保湿剤とを含有する保湿性組成物として本発明の繊維製品に含浸される。【００２５】
抗ウイルス性衛生用繊維製品は、ティッシュ、ウェットティッシュ、ナプキン、ウェットナプキン、タオル、ウェットタオル、マスク、マスク内補助クロス、衛生用衣類、抗ウイルス性フィルター、抗ウイルス性エアコンフィルターなどの用途に提供される。【００２６】
さらに、本発明の抗ウイルス性衛生用繊維製品は、非エンベロープウイルスまたはエンベロープウイルスによる汚染の可能性がある場所を清拭、遮断等するなど、非エンベロープウイルスまたはエンベロープウイルスの消毒または感染予防のための手段を提供する。
【発明の効果】
【００２７】
抗ウイルス剤として用いるカキ抽出物、カテキン類、ワットルタンニン、ペンタガロイルグルコース、コーヒータンニン、没食子酸アルキルエステル、ピロガロール、没食子酸、五倍子タンニンなどの非エンベロープウイルスまたはエンベロープウイルスに対する効果は、従来の抗菌剤等と比較して格段に優れており、それらのウイルスを９９％以上消滅させることも可能である。通常、ウイルスはその種類の違いによって、その構造が異なるため、種類ごとに、化学物質や薬品等に対する挙動もしくは耐性が異なるものとされているが、特にカキ抽出物を少なくとも用いた抗ウイルス剤にあっては、そのウイルスの種類によらず、広い範囲のウイルスに対しても効果があるという特徴を有する。【００２８】
本発明の抗ウイルス性衛生用繊維製品は、ティッシュ、ウェットティッシュ、ナプキン、ウェットナプキン、タオル、ウェットタオル、マスク、マスク内補助クロス、衛生用衣類、抗ウイルス性フィルター、抗ウイルス性エアコンフィルターなどの用途に提供され、非エンベロープウイルスまたはエンベロープウイルスに起因する感染症予防手段および感染予防方法として提供することができる。【００２９】
本発明の抗ウイルス性衛生用繊維製品は、一般家庭、食品を取り扱う状況下や医療機関などにおいて、非エンベロープウイルスまたはエンベロープウイルスの消毒や感染予防を効率的に行うことができるようになり、それらのウイルスに起因する疾患の発生を大幅に抑制することができるものと期待される。
【図面の簡単な説明】
【００３０】
【図１−１】（ａ）〜（ｃ）は、ノロウイルスに試料を作用させたときのウイルスの状態を表す概念図である。（ａ）は、ウイルスゲノム、表面タンパク質共に正常であって、ウイルスは感染力を保持している状態である（効果なし）。（ｂ）は、ウイルスゲノムは保持されているが、表面タンパク質が破壊され、感染力を失った状態である（効果あり）。（ｃ）は、ウイルスゲノム、表面タンパク質共に破壊され、感染力を失った状態である（効果あり）。
【図１−２】参考例１−２における、手洗いフォーム剤およびハンドローション剤についてのノロウイルス不活性化試験の結果を示すグラフである。
【図１−３】実施例１−３［１］における、手洗いフォーム剤およびハンドローション剤についてのビタミンＣによる抗ノロウイルス活性の安定化試験の結果を示すグラフである。
【図１−４】実施例１−３［２］における、ビタミンＣによる抗ノロウイルス活性の安定化試験の結果を示すグラフである。
【図１−５】実施例１−４における、クエン酸による抗ノロウイルス活性の相乗効果試験の結果を示すグラフである。
【図２−１】図２−１は、参考例２−２におけるコクサッキーウイルスに関するウイルス感染価の測定結果を示すグラフである。
【図２−２】図２−２は、参考例２−３におけるアデノウイルス感染細胞の抗アデノウイルス抗体による蛍光染色写真である。
【図２−３】図２−３は参考例２−３におけるアデノウイルスに対する各種試薬の抗ウイルス活性を示す図である。
【図２−４】図２−４は参考例２−４におけるネコカリシウイルス試験に対する固定・染色後のプレートの例を示す。
【図２−５】図２−５は参考例２−４におけるネコカリシウイルスに対する各種試薬の抗ウイルス活性を示す図である。
【図２−６】図２−６は参考例２−５におけるロタウイルス感染細胞の抗ロタウイルス抗体による蛍光染色写真である。
【図３−１】図３−１は、参考例３−１におけるヒト型インフルエンザウイルスに対する各種薬剤の抗ウイルス活性を示す。
【図３−２】図３−２は、参考例３−１におけるトリ型インフルエンザウイルスに対する各種薬剤の抗ウイルス活性を示す。
【図３−３】図３−３は、参考例３−１における水疱性口内炎ウイルスに対する各種薬剤の抗ウイルス活性を示す。
【図３−４】図３−４は、参考例３−１における単純ヘルペスウイルス１型に対する各種薬剤の抗ウイルス活性を示す。
【図３−５】図３−５は、参考例３−１におけるニューカッスル病ウイルスに対する各種薬剤の抗ウイルス活性を示す。
【図３−６】図３−６は、参考例３−３におけるトリ型インフルエンザウイルスに対する各種薬剤の抗ウイルス活性を示す。
【図３−７】図３−７は、参考例３−４におけるヒト型インフルエンザウイルスに対する各種薬剤の抗ウイルス活性を示す。
【図４−１】図４−１は、実施例１におけるトリ型インフルエンザウイルスに対する5% 柿しぶ処理不織布および0% 柿しぶ処理不織布（対照）の抗ウイルス活性を示す。
【図４−２】図４−２は、実施例１におけるトリ型インフルエンザウイルスに対する1%, 0.1%, 0.01%, 0.001%, 0.0001% 柿しぶ処理不織布および0% 柿しぶ処理不織布（対照）の抗ウイルス活性を示す。
【発明を実施するための形態】
【００３１】
− 非エンベロープウイルス −
本発明の抗ウイルス性衛生用繊維製品を構成する抗ウイルス剤は、広範な非エンベロープウイルスに対して適用することができる。
【００３２】
非エンベロープウイルスとしては、イリドウイルス科、アデノウイルス科、ポリオーマウイルス科、パピローマウイルス科（以上dsDNAを有する）；サーコウイルス科、パルボウイルス科（以上ssDNAを有する）；レオウイルス科、ビルナウイルス科（以上dsRNAを有する）；ピコルナウイルス科、カリシウイルス科、ヘパウイルス科、アストロウイルス科、ノダウイルス科（以上ポジティブセンス鎖ssRNAを有する）などのウイルスが知られており、本発明ではこれらの非エンベロープウイルスを対象とすることができる。
【００３３】
より具体的には、たとえば、ノロウイルス属（ノロウイルスNorovirus）；ベータノダウイルス属（ウイルス性神経壊死症ウイルス（NNV: Nervous Necrosis Virus）等）；アクアビルナウイルス属（伝染性膵臓壊死ウイルス等）；アクアレオウイルス属；ラナウイルス属（マダイイリドウイルス（RSBI: Red Sea Bream Iridovirus）等）、あるいはパルボウイルス科（伝染性皮下造血器壊死症ウイルス（IHHNV: Infectious Hypodermal and Hematopoietic Necrosis Virus）等）；ジシストロウイルス科（マスストロベリー病ウイルス、タウラ症候群ウイルス等）のそれぞれに属する、魚病ウイルスなどとして知られている非エンベロープウイルスが挙げられる。
【００３４】
また、エンテロウイルス属（コクサッキーウイルス、エンテロウイルス、ポリオウイルス、エコーウイルス等）；ヘパトウイルス属（Ａ型肝炎ウイルス等）；ライノウイルス属（ライノウイルス等）；サポウイルス属（サポウイルス等）；ママストロウイルス属（ヒトアストロウイルス等）；パピローマウイルス属（パピローマウイルス等）；ポリオーマウイルス属（ポリオーマウイルス等）；マストアデノウイルス属（ヒトアデノウイルス等）；ロタウイルス属（ロタウイルス等）のそれぞれに属する、ヒト病原ウイルスなどとして知られている非エンベロープウイルスや、その他ベシウイルス属のネコカリシウイルスなどの非エンベロープウイルスを対象とすることもできる。
【００３５】
− エンベロープウイルス −
本発明の抗ウイルス性衛生用繊維製品を構成する抗ウイルス剤は、広範なエンベロープウイルスに対して適用することもできる。たとえば、ヒト、家畜（ほ乳類・鳥類）または魚類の病原ウイルスとして知られている、下記のようなエンベロープウイルスに適用することができる。
【００３６】
フラビウイルス科（Flaviviridae）：フラビウイルス属［日本脳炎ウイルス（+センス１本鎖RNA），ウェストナイルウイルス（+センス１本鎖RNA）等］，ヘパシウイルス属［Ｃ型肝炎ウイルス（+センス１本鎖RNA）等］；
コロナウイルス科（Coronaviridae）：コロナウイルス属［SARSウイルス（+センス１本鎖RNA）等］；
ラブドウイルス科（Rhabdoviridae）：リッサウイルス属［狂犬病ウイルス（-センス１本鎖RNA）等］，ベシクロウイルス属［水疱性口内炎ウイルス（-センス１本鎖RNA）等］；
フィロウイルス科（Filoviridae）：マールブルグウイルス属［マールブルグウイルス（-センス１本鎖RNA）等］，エボラウイルス属［エボラウイルス（-センス１本鎖RNA）等］；
パラミクソウイルス科（Paramyxovidae）
パラミクソウイルス亜科：ルブラウイルス属［ムンプスウイルス（-センス１本鎖RNA）等］，モルビリウイルス属［麻疹ウイルス（-センス１本鎖RNA）等］，アビュラウイルス属［ニューカッスル病ウイルス（-センス１本鎖RNA）等］；
ニューモウイルス亜科：ニューモウイルス属［RS(respiratory syncytial)ウイルス（-センス１本鎖RNA）等］，メタニューモウイルス属［メタニューモウイルス（-センス１本鎖RNA）等］；
オルソミクソウイルス科（Orthomyxoviridae）：Ａ型インフルエンザウイルス属［Ａ型インフルエンザウイルス（-センス８分節RNA）等］；
ブニヤウイルス科（Bunyaviridae）：ハンタウイルス属［ハンタウイルス（+/-センス３本鎖RNA）等］；
アレナウイルス科（Arenaviridae）：アレナウイルス属［ラッサウイルス（+/-センス２本鎖RNA）等］；
レトロウイルス科（Retroviridae）：デルタレトロウイルス属［ヒトTリンパ球向性ウイルス（+センス一本鎖RNA）等］，レンチウイルス属［ヒト免疫不全ウイルス（+センス一本鎖RNA）等］；
ヘルペスウイルス科（Herpesviridae）
アルファウイルス亜科：単純ウイルス属［単純ヘルペスウイルス１型（２本鎖DNA）等］；
イクタルリウイルス属（Ictalurivirus）［アメリカナマズヘルペスウイルス（Ictalurid herpesvirus 1，２本鎖DNAウイルス、球形）等］；
（属不明未分類）コイヘルペスウイルス（Koi herpesvirus）；
ラブドウイルス科（Rhabdoviridae）：ノビラブドウイルス属（Novirhabdoviridae）［ウイルス性出血性敗血症ウイルス（VHSV: Viral hemorrhagic septicemia virus，１本鎖RNAウイルス、砲弾型）等］；
レオウイルス科（Reoviridae）：（属・種不明）金魚の転覆病ウイルス；
ニマウイルス科（Nimaviridae）：ウィスポウイルス属（Whispovirus）［ホワイトスポット症候群ウイルス（White spot syndrome virus，２本鎖DNAウイルス、長球形）等］；
ロニウイルス科（Roniviridae）：オカウイルス属（Okavirus）［イエローヘッド病ウイルス（Yellow head virus，１本鎖DNAウイルス、長球形）等］；
バキュロウイルス科（Baculoviridae）：ヌクレオポリヘドロウイルス属（Nucleopolyhedrovirus）［モノドン型バキュロウイルス（Penaeus monodon NPV，２本鎖DNAウイルス、不定形）等］。
【００３７】
− 抗ウイルス剤 −
・抗ウイルス剤と対象ウイルスの適用性
本発明において、抗ウイルス性衛生用繊維製品に含浸させる抗ウイルス剤の有効成分は、対象とする非エンベロープウイルスまたはエンベロープウイルスに応じて、カキ抽出物、カテキン類、ワットルタンニン、ペンタガロイルグルコース、コーヒータンニン、没食子酸アルキルエステル（カキ抽出物中のものを除く）、ピロガロール、没食子酸、五倍子タンニンなどの中から適切なものを選択することができる。本発明で用いる抗ウイルス剤は、たとえば以下に示すような非エンベロープウイルスまたはエンベロープウイルスに対する適用性を有する。
［ａ］非エンベロープウイルスまたはエンベロープウイルスとして、マストアデノウイルス属、ベシウイルス属、ロタウイルス属、ベータノダウイルス属、アクアビルナウイルス属、ラナウイルス属、Ａ型インフルエンザウイルス属、ベシクロウイルス属、単純ウイルス属、アビュラウイルス属およびノビラブドウイルス属以外のウイルスを対象とする場合は、カキ抽出物を有効成分とする。
［ｂ］非エンベロープウイルスとしてマストアデノウイルス属のウイルスを対象とする場合は、カキ抽出物、カテキン類およびワットルタンニンからなる群から選ばれた少なくとも１種を有効成分とする。
［ｃ］非エンベロープウイルスとしてベシウイルス属のウイルスを対象とする場合は、カキ抽出物、カテキン類、没食子酸アルキルエステル（カキ抽出物中のものを除く）およびピロガロールからなる群から選ばれた少なくとも１種を有効成分とする。
［ｄ］非エンベロープウイルスとしてロタウイルス属のウイルスを対象とする場合は、カキ抽出物、カテキン類、ペンタガロイルグルコース、コーヒータンニン、没食子酸アルキルエステル（カキ抽出物中のものを除く）およびピロガロールからなる群から選ばれた少なくとも１種を有効成分とする。
［ｅ］非エンベロープウイルスとしてベータノダウイルス属、アクアビルナウイルス属および／またはラナウイルス属のウイルスを対象とする場合は、カキ抽出物、ワットルタンニン、ペンタガロイルグルコースおよびカテキン類からなる群から選ばれた少なくとも１種を有効成分とする。
［ｆ］エンベロープウイルスがＡ型インフルエンザウイルス属または単純ウイルス属のウイルスであるときは、カキ抽出物、カテキン類、ワットルタンニン、ペンタガロイルグルコース、およびピロガロールからなる群から選ばれた少なくとも１種を有効成分とする。
［ｇ］エンベロープウイルスがベシクロウイルス属のウイルスであるときは、カキ抽出物、カテキン類、ワットルタンニン、およびピロガロールからなる群から選ばれた少なくとも１種を有効成分とする。
［ｈ］エンベロープウイルスがアビュラウイルス属のウイルスであるときは、カキ抽出物、カテキン類、ワットルタンニン、およびペンタガロイルグルコースからなる群から選ばれた少なくとも１種を有効成分とする。
［ｉ］エンベロープウイルスがノビラブドウイルス属のウイルスであるときは、カキ抽出物、カテキン類、ワットルタンニン、ペンタガロイルグルコース、コーヒータンニン、ピロガロール、没食子酸および五倍子タンニンからなる群から選ばれた少なくとも１種を有効成分とする。
【００３８】
・カキ抽出物
本発明では、広範な非エンベロープウイルスまたはエンベロープウイルスに対する抗ウイルス剤の有効成分として、タンニンを含有するカキノキ属の植物の抽出物、すなわちカキ抽出物（柿シブタンニンとよばれることもある。）を用いる。なお、このカキ抽出物は、タンニンを含有するカキノキ属の植物に由来する物質の精製物のみならず、これを抽出するために用いた溶媒やアルコール処理のために用いたアルコール等と混合した態様のものを用いてもよい。
【００３９】
カキ抽出物の原料は特に限定されるものではないが、カキタンニン（特に縮合型タンニン）を豊富に含む渋柿（たとえばカキノキの蜂屋、平種無などの品種）の未成熟果を用いると効率的かつ経済的である。また、同様の成分からなるカキ抽出物が得られるのであれば、カキノキ属の植物の葉や樹皮など果実以外の部位を原料としてもよい。
【００４０】
このような原料からカキ抽出物を調製する方法も特に限定されるものではないが、一般的には、蔕を除去した渋柿を、粉砕、圧搾して搾汁を回収する方法、または適度な大きさに切断してからミキサーにかけて液状にし、さらに遠心分離機にかけて上澄み液を回収する方法、あるいは水または水系溶媒で抽出して抽出液を回収する方法などが用いられる。
【００４１】
・加熱、アルコールおよびその他の処理
本発明のカキ抽出物としては、上述のようなカキノキ属の植物の果実の搾汁や抽出液をそのまま用いることもできるが、それらを加熱またはアルコールで処理することにより、その中に含有されていた当該カキノキ属の植物に由来する酵素を失活させたもの（以下「カキ抽出物処理物」とよぶこともある。）を用いることが望ましい。加熱またはアルコール処理によりカキ抽出物の抗ウイルス性は一層高まり、あわせて抗ウイルス性を検証するための測定が阻害されることを防止できるようになる。このようなカキ抽出物処理物は比較的容易に調製することができ、かつ組成物の成分として使用する上で色や臭気がほとんど問題にならないという利点を有し、発酵に時間がかかる上に色や臭気の点で使用しにくい面のある柿渋（後述）よりも工業的に利用しやすい。また、上記のように加熱またはアルコール処理により、長期間保存しておいても、変色や沈殿等といったことが生じることはない。
【００４２】
加熱処理の温度および時間条件は、搾汁等に含有されているカキノキ属の植物に由来する酵素を失活させることができる程度の条件であればよく、植物の酵素を失活させるための一般的な条件を採用することができる。すなわち、温度は通常６０〜１３０℃、時間は通常５秒〜３０分であり、たとえば、１２０℃〜１３０℃で５〜１０秒間、あるいは約８５℃で５〜１５分間などの条件で加熱処理を行えばよい。また、加熱処理工程の態様は特に限定されるものではなく、たとえば搾汁を殺菌する工程における加熱や、粉末化する工程における加熱、あるいは柿渋（詳細は後述）を製造するための発酵開始前の加熱などによって当該処理を行うことができる。
【００４３】
一方、アルコール処理は、通常３０〜１００％、好ましくは５０〜１００％のエタノール等のアルコール類を用いて行うことができる。たとえば、カキ絞汁液に９５ｖ／ｖ％エタノールを同量程度添加するように処理し、その後は密閉遮光容器内で保存することが好ましい（通常淡褐色の液となる）。また、アルコール処理工程の態様も特に限定されるものではなく、たとえばエタノール等のアルコール系溶媒を用いて抽出をする工程は当該アルコール処理工程に相当するほか、典型的には本発明の抗ウイルス性組成物としてのアルコール製剤を製造するための一工程として、必要に応じて上記の加熱処理が施されたカキ抽出物にアルコールを添加して混合することにより行うこともできる。なお、このようなアルコール処理は、カキ抽出物自体に含有される雑菌を殺菌する作用も併せ持つ。
【００４４】
本発明のカキ抽出物については、上記のような処理の他に、あるいは上記のような処理に加えて、発明の効果を阻害しない範囲で必要に応じて、濃縮、乾燥または凍結乾燥による固形化ならびに粉砕による粉末化（凍結乾燥粉末は通常微黄色である）、あるいはイオン交換樹脂等を用いた精製などの処理を施してもよい。カキ抽出物はポリフェノールを多く含有し、液状のままでは着色等の変質が起こりやすいため、凍結乾燥法を用いて固形状態で冷凍保存することが望ましい。これらの操作は、カキ抽出物に含有されるカキタンニンやその他の成分が分解されないような、温和な条件下で行うことが好ましい。
【００４５】
また、本発明におけるカキ抽出物としては、未成熟の渋柿を搾汁したのち長期間（１〜３年程度）発酵、熟成させて得られる液体であって、数パーセント程度の固形分（カキタンニン）および発酵により生成した有機酸などを含有する「柿渋」を利用してもよい。この柿渋は従来民間薬や塗料などとして利用されており、たとえば「柿渋」（冨山柿渋製造場）などの商品として一般的に市販されている。あるいは、カキ絞汁液にカキ由来の酵母培養液を加え、２０〜２５℃で１〜３カ月間発酵させて得られる発酵物を用いることもでき（通常赤褐色の液となる）、その後は密閉容器内で保存することが好ましい。
【００４６】
なお、日本の食品衛生法に基づく「既存添加物名簿収載品目リスト」に「柿タンニン」（品名/別名＝柿渋、柿抽出物。基原・製法・本質＝カキ科カキ Diospyros kaki THUNB. の実より、搾汁したもの、又は水若しくはエタノールで抽出して得られたものである。主成分はタンニン及びタンニン酸である。）として記載されている添加物を、本発明におけるカキ抽出物として利用することもできる。
【００４７】
・カキタンニン
カキノキ属（Diospyros）の植物、特にその果実には、収斂性や金属イオンと結合するなど所定の性質を有し、渋味を感じさせるもととなる物質、いわゆるタンニンと総称される化合物が豊富に含まれている。このようなカキタンニンには、多くの場合、カテキン、ガロカテキンおよびこれらの没食子酸エステルが結合してなる、下記推定構造式（Ｉ）で表される「カキ縮合型タンニン」が主要な成分として含まれていることが特徴的である。たとえば、カキノキ属の植物のうち、中国原産で日本をはじめ世界的に広く栽培されているカキノキ（Diospyros kaki）の果実に含まれているカキ縮合型タンニンは、カテキン、カテキンガレート、ガロカテキンおよびガロカテキンガレートがおよそ１：１：２：２の比率で炭素−炭素結合で縮合している高分子化合物である（Matsuo & Itoo (1981)：前出非特許文献１参照）。
【００４８】
【化１】
0005571577.tif 000002
【００４９】
また、カキタンニンには、上記「カキ縮合型タンニン」以外にも、カテキンや加水分解型タンニンなどその他のタンニン性化合物が含まれていることもある。
【００５０】
なお、加水分解型タンニンは、アルコール（グルコース等）とカルボン酸（没食子酸等）とのエステルまたはそのオリゴマーであって、加水分解により低分子化されるのに対し、カキ縮合型タンニンは加水分解によって低分子化しないため（重合体の基本骨格の炭素−炭素結合は加水分解されない）加水分解型タンニンと区別することができ、たとえばMatsuo & Itoo (1981b)（前出非特許文献２）に記載された方法などにより精製、定量することも可能である。
【００５１】
本発明における非エンベロープウイルスまたはエンベロープウイルスに対する抗ウイルス性の発現のためには、カキ抽出物中に少なくともカキ縮合型タンニンが含まれていることが好ましいと推測されるが、カキ抽出物中のその他の成分の寄与の可能性は何ら排除されるものではない。カキノキの果実を用いて後述のような調製方法により得られるカキ抽出物等には、通常自ずとカキ縮合型タンニンが含まれており、本発明の抗ウイルス剤は、そのようなカキ抽出物等を原料として用いて製造することが好適であると推測される。
【００５２】
・カテキン類
抗ウイルス剤がベータノダウイルス属、アクアビルナウイルス属、ラナウイルス属、マストアデノウイルス属、ベシウイルス属、ロタウイルス属などの非エンベロープウイルス、またはＡ型インフルエンザウイルス属、ベシクロウイルス属、単純ウイルス属、アビュラウイルス属、ノビラブドウイルス属などのエンベロープウイルスを対象とする場合、有効成分としてカテキン類を使用することもできる。
【００５３】
カテキン類は、インド産のマメ科アカシア属の低木であるカテキュー（ガンビールとも呼ばれる。学名Acacia catechu）やチャノキ（茶の木、学名：Camellia sinensis）等の植物に含有される、３，５，７，３′，４′−ペンタヒドロキシフラバン（狭義のカテキン）、３，５，７，３′，４′，５′−ヘキサヒドロキシフラバン（ガロカテキン）およびそれらの３−ガロイル誘導体の総称であり、これらの立体異性体も含まれる。たとえばカテキューから分離される(＋)-カテキンは、下記構造式（２）を有する。
【００５４】
【化２】
0005571577.tif 000003
【００５５】
また、チャノキに含有されるカテキン類（「緑茶タンニン」とよばれることもある。）は、エピカテキン［epicatechin、構造式（３）］とそのヒドロキシ体のエピガロカテキン ［epigallocatechin、構造式（４）］、それらの没食子酸エステルであるエピカテキンガレート［epicatechin gallate、構造式（５）］およびエピガロカテキンガレート［epigallocatechin gallate、構造式（６）］を主成分とするが、これらの化合物は加熱処理により異性化することもある。
【００５６】
【化３】
0005571577.tif 000004
【００５７】
【化４】
0005571577.tif 000005
【００５８】
【化５】
0005571577.tif 000006
【００５９】
【化６】
0005571577.tif 000007
【００６０】
カテキン類はその他の植物にも含有されている。本発明では、カテキン類を含有する植物からこれらの化合物を単離して利用しても、カテキン類を含有する植物の抽出物を利用してもよい。また、カテキン類は、いずれか１種を単独で用いても、２種以上を組み合わせて用いてもよい。チャノキに含有されるカテキン類を利用することが最も好都合である。
【００６１】
・ワットルタンニン
抗ウイルス剤がベータノダウイルス属、アクアビルナウイルス属、ラナウイルス属、マストアデノウイルス属、ロタウイルス属などの非エンベロープウイルス、またはＡ型インフルエンザウイルス属、ベシクロウイルス属、単純ウイルス属、アビュラウイルス属、ノビラブドウイルス属などのエンベロープウイルスを対象とする場合、有効成分としてワットルタンニンを使用することもできる。
【００６２】
ワットルタンニンはアカシア属の植物の樹皮、葉、莢などから抽出されるタンニンであり、たとえばAcacia pycnantha（Golden Wattle）, Acacia decurrens（Tan Wattle）, Acacia dealbata（Silver Wattle、ミモザワットルとよばれることもある。), Acacia mearnsii （Black Wattle）などに由来するものが挙げられる。
【００６３】
・ペンタガロイルグルコース
抗ウイルス剤がベータノダウイルス属、アクアビルナウイルス属、ラナウイルス属、ロタウイルス属などの非エンベロープウイルス、またはＡ型インフルエンザウイルス属、単純ウイルス属、アビュラウイルス属、ノビラブドウイルス属などのエンベロープウイルスを対象とする場合、有効成分としてペンタガロイルグルコースを使用することもできる。
【００６４】
ペンタガロイルグルコースは、グルコースの水酸基（１，２，３，４および６位）に没食子酸がエステル結合した化合物であり、たとえば五倍子タンニンを原料として分解、精製することにより得られる。
【００６５】
・コーヒータンニン
抗ウイルス剤がロタウイルス属などの非エンベロープウイルス、またはノビラブドウイルス属などのエンベロープウイルスを対象とする場合、有効成分としてコーヒータンニンを使用することもできる。
【００６６】
コーヒータンニンは、コーヒー豆等から抽出されるタンニン（ないしタンニン様物質）であり、主としてクロロゲン酸類（キナ酸の水酸基（３，４または５位のいずれか１つ以上）にカフェ酸がエステル結合した化合物）が含まれている。
【００６７】
・没食子酸アルキルエステル
抗ウイルス剤がベシウイルス属、ロタウイルス属などの非エンベロープウイルスを対象とする場合、有効成分として没食子酸アルキルエステル（没食子酸（3,4,5-トリヒドロキシベンゼンカルボン酸）とアルコールとのエステル化合物であり、前述したペンタガロイルグルコースおよびカテキン類に含まれるエピカテキンガレート、エピガロカテキンガレート等は含まれない。）を使用することもできる（没食子酸アルキルエステルがあらかじめ存在するカキ抽出物を使用する場合を除く）。
【００６８】
没食子酸アルキルエステルとしては、エチルガレート、ｎ−プロピルガレート、ｎ−ブチルガレート、ｎ−ペンチルガレート、ｎ−オクチルガレート、ｎ−ノニルガレート、ｎ−デシルガレート、イソブチルガレート、イソアミルガレートなどが挙げられ、たとえばｎ−ブチルガレートが好ましい。なお、没食子酸アルキルエステル（ｎ−プロピルガレート等）は、酸化防止剤（食品添加物）としても使用されている。
【００６９】
・ピロガロール
抗ウイルス剤がベシウイルス属、ロタウイルス属などの非エンベロープウイルス、またはＡ型インフルエンザウイルス属、ベシクロウイルス属、単純ウイルス属、ノビラブドウイルス属などのエンベロープウイルスを対象とする場合、有効成分としてピロガロール（1,2,3-トリヒドロキシベンゼン）を使用することもできる。
【００７０】
・没食子酸
抗ウイルス剤がノビラブドウイルス属などのエンベロープウイルスを対象とする場合、有効成分として没食子酸を使用することもできる。
【００７１】
・五倍子タンニン
抗ウイルス剤がノビラブドウイルス属などのエンベロープウイルスを対象とする場合、有効成分として、五倍子（ヌルデの虫こぶ）に由来する、五倍子タンニンを使用することもできる。
【００７２】
− 抗ウイルス性組成物 −
本発明の抗ウイルス性衛生用繊維製品は、紙、織布および不織布からなる群から選ばれた少なくとも１種の繊維状基材に、抗ウイルス性組成物で含浸処理することにより製造するのが好適である。この抗ウイルス性組成物は、ティッシュ、ウェットティッシュ、ナプキン、ウェットナプキン、タオル、ウェットタオル、マスク、衛生用衣類、抗ウイルス性フィルター、抗ウイルス性エアコンフィルターの用途に応じて適宜選択するのが好ましい。
【００７３】
抗ウイルス性組成物は、非エンベロープウイルスまたはエンベロープウイルスに対する有効成分としての抗ウイルス剤［Ａ］と、アルコール［Ｂ］、界面活性剤［Ｃ］、抗菌剤［Ｄ］、保湿剤［Ｅ］、または化粧品用油脂類［Ｆ］のいずれか１種以上の成分とを含有し、必要に応じてさらにクエン酸および／またはその塩やビタミンＣ類を含有する組成物である。その態様は特に限定されるものではないが、代表的には以下のようなものが挙げられる。
【００７４】
［組成物Ｉ］  少なくとも抗ウイルス剤［Ａ］とアルコール［Ｂ］とを含有するアルコール製剤組成物
抗ウイルス性衛生用繊維製品の目的に応じて、さらに水や界面活性剤［Ｃ］を配合することができる。この組成物は、抗ウイルス性のティッシュ、ウェットティッシュ、ナプキン、ウェットナプキン、タオル、ウェットタオルなどに適用される。
【００７５】
［組成物II］  少なくとも抗ウイルス剤［Ａ］と界面活性剤［Ｃ］とを含有する洗浄用組成物
この組成物は、抗ウイルス性であってかつ洗浄を目的とするティッシュ、ウェットティッシュ、ナプキン、ウェットナプキン、タオル、ウェットタオルなどに適用される。
【００７６】
［組成物III］  少なくとも抗ウイルス剤［Ａ］と抗菌剤［Ｄ］とを含有する消毒用組成物
この組成物は、抗ウイルス性・抗菌性のティッシュ、ウェットティッシュ、ナプキン、ウェットナプキン、タオル、ウェットタオル、マスク、マスク内補助クロス、衛生用衣類、抗ウイルス性フィルター、抗ウイルス性エアコンフィルターなどに適用される。
【００７７】
［組成物IV］  少なくとも抗ウイルス剤［Ａ］と保湿剤［Ｅ］とを含有する保湿性組成物
この組成物は、抗ウイルス性のティッシュ、ウェットティッシュ、ナプキン、ウェットナプキン、タオル、ウェットタオル、マスク、マスク内補助クロス、衛生用衣類、抗ウイルス性フィルター、抗ウイルス性エアコンフィルターなどに適用される。
【００７８】
［組成物Ｉ］のアルコール製剤組成物は、食品、食器、調理器具、魚類等の飼育器具類や飼育水槽、作業者の手指、あるいは患者の汚物を取り扱った器具などに付着した非エンベロープウイルスまたはエンベロープウイルスを不活性化するために使用される態様の組成物である。この組成物が含浸された抗ウイルス性衛生用繊維製品は、上記対象物を清拭することにより付着した非エンベロープウイルスまたはエンベロープウイルスを不活性化するために使用される。この組成物が含浸された抗ウイルス性衛生用繊維製品は、ティッシュ、ウェットティッシュ、ナプキン、ウェットナプキン、タオル、ウェットタオルなどの清拭用素材に適用される。
【００７９】
［組成物II］の洗浄用組成物は、食品、食器、調理器具、魚類等の飼育器具類や飼育水槽、作業者の手指や着衣などの汚れを落とすとともに、非エンベロープウイルスまたはエンベロープウイルスを不活性化することができる態様の組成物である。この組成物が含浸された抗ウイルス性衛生用繊維製品は、上記対象物を清拭洗浄するとともに、付着した非エンベロープウイルスまたはエンベロープウイルスを清拭により不活性化するための清拭用素材として使用される。この組成物が含浸された抗ウイルス性衛生用繊維製品は、ティッシュ、ウェットティッシュ、ナプキン、ウェットナプキン、タオル、ウェットタオルなどの清拭用素材に適用される。
【００８０】
［組成物III］の消毒用組成物は、食品、食器、調理器具、魚類等の飼育器具類や飼育水槽、作業者の手指、あるいは患者の汚物を取り扱った器具などに付着した非エンベロープウイルスまたはエンベロープウイルスを不活性化するとともに、殺菌作用をも付与するために使用される態様の組成物である。この組成物が含浸された抗ウイルス性衛生用繊維製品は、上記対象物を清拭することにより付着した非エンベロープウイルスまたはエンベロープウイルスを不活性化するとともに、殺菌のためにも使用される。この組成物が含浸された抗ウイルス性衛生用繊維製品は、抗ウイルス性・抗菌性のティッシュ、ウェットティッシュ、ナプキン、ウェットナプキン、タオル、ウェットタオルなどの清拭用素材に適用される。また、この組成物が含浸された抗ウイルス性衛生用繊維製品は、非エンベロープウイルスまたはエンベロープウイルスへの感染予防と同時に、細菌への感染を予防するためのマスク、マスク内補助クロス、衛生用衣類、抗ウイルス性フィルター、抗ウイルス性エアコンフィルターなどの用途にも適用される。
【００８１】
［組成物IV］の保湿性組成物は、食品、食器、調理器具、魚類等の飼育器具類や飼育水槽、作業者の手指、あるいは患者の汚物を取り扱った器具などに付着した非エンベロープウイルスまたはエンベロープウイルスを不活性化するために使用される態様の組成物である。この組成物が含浸された抗ウイルス性衛生用繊維製品は、上記対象物を清拭することにより付着した非エンベロープウイルスまたはエンベロープウイルスを不活性化するために使用される。この組成物が含浸された抗ウイルス性衛生用繊維製品は、抗ウイルス性のティッシュ、ウェットティッシュ、ナプキン、ウェットナプキン、タオル、ウェットタオルなどの清拭用素材に適用される。また、この組成物が含浸された抗ウイルス性衛生用繊維製品は、非エンベロープウイルスまたはエンベロープウイルスへの感染を予防するためのマスク、マスク内補助クロス、抗ウイルス性フィルター、抗ウイルス性エアコンフィルターなどの用途にも適用される。
【００８２】
なお、上記［組成物Ｉ］〜［組成物IV］の抗ウイルス性組成物において、アルコール、界面活性剤、抗菌剤または保湿剤は当然ながら２種以上を組み合わせて用いてもよい。たとえばアルコール製剤組成物については、抗菌性をより高めるために脂肪酸エステル等の界面活性剤をさらに配合することも好ましい。また、上記洗浄用組成物は、界面活性剤に加えて抗菌剤やアルコールを配合した態様をとることができ、上記保湿性組成物は、手肌を保護する成分と共に手肌を清浄に保つための抗菌剤やアルコールを配合した態様をとることができる。
【００８３】
さらに、上記［組成物Ｉ］〜［組成物IV］の抗ウイルス性組成物には、本明細書中で具体的に説明している成分以外にも、所望の性能を賦与し各組成物の品質を高めるための各種成分、たとえば、蜜蝋などの化粧品用油脂類、増粘剤（キサンタンガム、ローカストビーンガム、ポリアクリル酸ナトリウム等）、酸化防止剤、香料、色素、肌荒れ防止剤、消炎剤、繊維状基材への固定剤などを適宜配合することができる。
【００８４】
・抗ウイルス剤の含有量
上記［組成物Ｉ］〜［組成物IV］の抗ウイルス性組成物における抗ウイルス剤の含有量は、非エンベロープウイルスまたはエンベロープウイルスに対する抗ウイルス性が発現される範囲において、組成物の成分構成や使用方法等の態様に応じて適宜調整することができるが、抗ウイルス剤、特に抗ウイルス剤中のカキ抽出物またはその処理物などの有効成分が、抗ウイルス性組成物全体に対して通常０．０１〜１０重量％、好ましくは０．０１〜５重量％、より好ましくは０．１〜２重量％、さらに好ましくは１〜２重量％となるような量にすればよい。
【００８５】
なお、上記の抗ウイルス剤の含有量は「固形分」に基づくものであり、柿の実の抽出液のような液状物を製造原料として用いる場合には、その液状物中の固形分（乾燥または凍結乾燥により得られる粉末）の重量が上記範囲内となるよう、液状物の配合量を調節すればよい。柿の実の搾汁には、通常５〜１０％程度の固形分が含有されている。
【００８６】
・有機酸および／またはその塩
本発明の繊維製品に含浸させる抗ウイルス性組成物には、抗ウイルス剤の有効成分としてのカキ抽出物（カキタンニン）、カテキン類、ワットルタンニン、ペンタガロイルグルコース、コーヒータンニン、没食子酸アルキルエステル（カキ抽出物中のものを除く）、ピロガロール、没食子酸、五倍子タンニンなどに加えて、カキ抽出物に含まれているもの以外の有機酸および／またはその塩を配合することが好ましい（本明細書において、抗ウイルス性組成物に配合する「有機酸および／またはその塩」は、特に記載しない場合であっても、カキ抽出物中のものを除くものとする）。
【００８７】
特に、抗ウイルス剤がベシウイルス属、ロタウイルス属などの非エンベロープウイルス、またはＡ型インフルエンザウイルス属、ベシクロウイルス属、単純ウイルス属、ノビラブドウイルス属などのエンベロープウイルスを対象とする場合、有機酸および／またはその塩はそれらのウイルスに対する有効成分となりうる。また、有機酸および／またはその塩は、非エンベロープウイルスまたはエンベロープウイルスの種類によっては、これら単独では抗ウイルス性を示さないこともあるが、上記カキ抽出物などの有効成分と併用することによりその効果を一層高めることができる。
【００８８】
さらに、有機酸および／またはその塩は、細菌類に対する抗菌性にも優れた物質で、食品添加物としても認められており、タンニンの溶解性を高めるほか、タンニンが鉄と接触したときの着色を防止するキレート剤としても作用する。そのような観点から抗ウイルス性組成物に有機酸および／またはその塩を配合することも好ましい。
【００８９】
有機酸および／またはその塩としては、炭素原子数２〜１０の有機酸および／またはその塩が好ましく、炭素原子数２〜１０のヒドロキシル基を含有する有機酸および／またはその塩がより好ましい。さらに具体的には、乳酸、リンゴ酸、クエン酸、酒石酸、サリチル酸、コハク酸、フマル酸およびイタコン酸からなる群から選ばれた少なくとも１種の有機酸および／またはその塩が好ましく、とくにクエン酸またはその塩が好ましい。また、有機酸の塩としては、上記有機酸のナトリウム塩、カリウム塩等が好ましい。
【００９０】
本発明の抗ウイルス性組成物に、特定のエンベロープウイルスに対する有効成分としておよび／または上記のようなその他の目的のために、有機酸および／またはその塩を配合する場合、有機酸および／またはその塩の割合は、抗ウイルス性組成物全体（溶媒等を含む。）に対して、０．０５〜５．０重量％が好ましく、０．１〜２．０重量％がより好ましい。あるいは、抗ウイルス性組成物のｐＨが、通常は６．０〜２．０となる量で、好ましくは５．０〜２．０となる量で、より好ましくは４．８〜２．０となる量で、さらに好ましくは４．０〜２．０となる量で配合すればよい。水溶液のｐＨは、一般的なｐＨメーター（たとえばベックマン・コールター株式会社製のｐＨメーター）を使用して測定すればよい。
【００９１】
・ビタミンＣ類
本発明の繊維製品に含浸させる抗ウイルス性組成物には、上述した抗ウイルス剤に加えて、食品等に添加される酸化防止剤として知られているビタミンＣ類を配合することが好ましい。ここで「ビタミンＣ類」とは、一般的にビタミンＣと呼ばれているＬ−アスコルビン酸のほか、ＤＬ−アスコルビン酸や、アスコルビン酸エステル（パルミチン酸エステルなど）などを含む総称である。ビタミンＣ類を配合することによりカキ抽出物（特にカキタンニン）などの酸化が抑制され、非エンベロープウイルスに対する効果が安定的、持続的に発揮されるようになり、あわせて酸化による赤色の発色を抑制することもできる。
【００９２】
ビタミンＣ類の添加量は、抗ウイルス性組成物全体（溶媒等を含む。）に対して、０．０１〜５．０重量％の割合が好ましく、０．０５〜２．０重量％の割合がより好ましい。
【００９３】
・アルコール
本発明の繊維製品に含浸させる抗ウイルス性組成物には、上述した抗ウイルス剤に加えて、抗ウイルス性衛生用繊維製品の目的に応じてアルコールを配合することもできる。アルコールとしては、一般的なアルコール製剤と同様のものを用いることができるが、細菌類に対する優れた抗菌性を有し食品添加物としても認められているエタノールおよび／またはプロパノールが好ましい。これらのアルコールの濃度は一般的なアルコール製剤と同程度であればよく、抗菌性を考慮しながら調整することができるが、アルコール製剤全体に対して１０〜８０％程度とすることが好ましい。なお、アルコールは溶剤としてアルコール製剤以外の組成物に用いられることもあり、また肌への収斂性や防腐性をもたらす成分として化粧品等に配合することもできる。
【００９４】
・界面活性剤
本発明の繊維製品に含浸させる抗ウイルス性組成物には、上述した抗ウイルス剤に加えて、抗ウイルス性衛生用繊維製品の目的に応じて界面活性剤を配合することもできる。界面活性剤には、カチオン系、アニオン系、両イオン系および非イオン系のものがあるが、カキ縮合型タンニン（ポリフェノール）などの化学的性質を考慮すると、本発明ではアニオン系界面活性剤および／または非イオン系界面活性剤を用いることが好ましい。
【００９５】
アニオン系界面活性剤としては、たとえば、石けん（高級脂肪酸のアルカリ塩）、モノアルキル硫酸塩、アルキルポリオキシエチレン硫酸塩、アルキルベンゼンスルホン酸塩、モノアルキルリン酸塩などが挙げられる。
【００９６】
非イオン系界面活性剤としては、たとえば、ポリオキシエチレンアルキルエーテル、ポリオキシエチレン脂肪酸エステル、多価アルコール（グリセリン、糖アルコール等）の脂肪酸部分エステル、脂肪酸ジエタノールアミドなどが挙げられる。
【００９７】
これらの界面活性剤のうち、グリセリン脂肪酸部分エステル、ソルビタン脂肪酸部分エステル、ショ糖脂肪酸部分エステルなど食品添加物として認められているものは、食品、食器、調理器具に付着しても問題にならない点で本発明における好ましい界面活性剤である。
【００９８】
なお、上記のような界面活性剤には細菌類の細胞膜やウイルスのエンベロープを破壊する作用もあり、たとえばグリセリンの炭素数６〜１８の脂肪酸（炭素数１０のカプリン酸など）との部分エステルはエンベロープウイルスに対する抗ウイルス性および大腸菌や黄色ブドウ球菌に対する抗菌性に優れているため、前述の抗ウイルス剤に有効成分として、あるいはアルコール製剤などの組成物にこれらの界面活性剤を配合することも好適である。また、界面活性剤はクリームや乳液において油相と水相とを混和するための成分としても用いられる。
【００９９】
・抗菌剤
本発明の繊維製品に含浸させる抗ウイルス性組成物には、上述した抗ウイルス剤に加えて、抗ウイルス性衛生用繊維製品の目的に応じて前述のエタノール、クエン酸等の有機酸およびその塩以外の抗菌剤（殺菌剤、除菌剤とよばれる物質を含む。）を配合することができる（本明細書において、抗ウイルス性組成物に配合する「抗菌剤」は、特に記載しない場合であっても、エタノール、有機酸およびその塩を除くものとする）。抗菌剤は特に限定されるものではないが、公知の抗生物質や合成抗菌剤など、たとえば食品加工の際の感染あるいは院内感染が問題となる大腸菌、黄色ブドウ球菌、ＭＲＳＡ、サルモネラ、腸炎ビブリオ、緑膿菌などに対して有効であるものが好適である。なかでも、イソプロピルメチルフェノール、ブチルパラヒドロキシベンゾエート、トリクロサンなどの合成抗菌剤は、抗菌作用に優れている点およびカキ抽出物との相溶性の点で本発明における好ましい抗菌剤である。なお、上記のような抗菌剤として用いられる物質は、前述のエタノール製剤に配合してもよく、化粧品等において防腐剤として利用されることもある。
【０１００】
・保湿剤
本発明の繊維製品に含浸させる抗ウイルス性組成物には、上述した抗ウイルス剤に加えて、抗ウイルス性衛生用繊維製品の目的に応じて保湿剤を配合することができる。本発明で用いることのできる保湿剤（湿潤剤）は、一般的なローション、乳液、クリーム等の化粧品に用いられているものと同様であり、たとえば、グリセリン、プロピレングリコール、ソルビトール、ポリエチレングリコール、ヒアルロン酸、コンドロイチン硫酸ナトリウム、セラミド、アロエエキスなどが挙げられる。これらの保湿剤のうち、アロエエキスなど食品または食品添加物として認められているものは、食品、食器、調理器具に付着しても問題にならない点で本発明における好ましい保湿剤である。
【０１０１】
・化粧品用油脂類
本発明の繊維製品に含浸させる抗ウイルス性組成物には、上述した抗ウイルス剤に加えて、抗ウイルス性衛生用繊維製品の目的に応じて化粧品用油脂類を配合することができる。化粧品用油脂類は、皮膚面に被膜を形成して皮膚の保護や柔軟性、滑沢性の賦与などの役割を果たし、また化粧品に適度な使用感を持たせるための成分である。本発明では、一般的な乳液、クリーム等の化粧品に用いられているものと同様の化粧品用油脂類を用いることができ、たとえば下記のようなものが挙げられる。
【０１０２】
・ 油脂（高級脂肪酸とグリセリンのエステル）…植物性油脂、動物性油脂またはこれらの水素添加物（部分水添ナタネ油等）、合成トリグリセリド（トリ(カプリル/カプリン酸)グリセリル等）など；
・ ロウ（高級脂肪酸と高級アルコールの常温で固体のエステル）…植物性ロウ、動物性ロウ（蜜蝋、ラノリン等）など；
・ 炭化水素…鉱物性炭化水素（流動パラフィン、ワセリン、パラフィン等）、動物性炭化水素（スクワラン等）など；
・ 高級脂肪酸…ラウリン酸、ミリスチン酸、パルミチン酸、ステアリン酸、オレイン酸、イソステアリン酸など；
・ 高級アルコール…セタノール、ステアリルアルコール、ラノリンアルコールなど；
・ エステル（ロウ類以外の、脂肪酸とアルコールとのエステル）…ミリスチン酸ミリスチル、ジオレイン酸プロピレングリコール、乳酸セチルなど。
【０１０３】
これらの化粧品用油脂類のうち、蜜蝋など食品または食品添加物として認められているものは、食品、食器、調理器具に付着しても問題にならない点で本発明における好ましい化粧品用油脂類である。
【０１０４】
・抗ウイルス性組成物の製造方法
本発明の繊維製品に含浸させる抗ウイルス性組成物の製造方法は、製造原料の一つとして抗ウイルス剤（カキ抽出物など）を配合し、必要に応じてさらに有機酸および／またはその塩やビタミンＣ類を配合し、これらのことにあわせて製造工程や条件等を適宜調整を施すこと以外は、従来のアルコール製剤、洗浄剤、消毒剤、化粧品（ローション、乳液、クリーム）等の製造方法と同様である。すなわち、それらの従来品の一般的な（または必要に応じて微調整した）製造原料に加えて抗ウイルス剤を配合し、従来品と同様（または必要に応じて微調整した）製造工程により、本発明の抗ウイルス性組成物を製造することができる。
【０１０５】
なお、本発明の抗ウイルス剤または抗ウイルス性組成物に有機酸および／またはその塩を配合する場合（特にベシウイルス属、ロタウイルス属などの非エンベロープウイルスや、Ａ型インフルエンザウイルス属、ベシクロウイルス属、単純ウイルス属、ノビラブドウイルス属などのエンベロープウイルスを対象とする場合）は、前述のように、それらの水溶液のｐＨが好ましくは５．０〜２．０、より好ましくは４．８〜２．０となる量で、さらに好ましくは４．０〜２．０となる量の有機酸および／またはその塩を添加することが好適である。
【０１０６】
−抗ウイルス性衛生用繊維製品 −
・繊維状基材
本発明の抗ウイルス性衛生用繊維製品を構成する繊維状基材は、紙、織布および不織布からなる群から選ばれた少なくとも１種の繊維状基材である。ティッシュ、ウェットティッシュ、ナプキン、ウェットナプキン、タオル、ウェットタオルなどの清拭用素材としてとしては、紙、織布または不織布のいずれも使用できる。また、非エンベロープウイルスまたはエンベロープウイルスへの感染を予防するためのマスク、マスク内補助クロス、衛生用衣類、抗ウイルス性フィルター、抗ウイルス性エアコンフィルターの繊維状基材としても、紙、織布または不織布のいずれも使用できる。
【０１０７】
・抗ウイルス性衛生用繊維製品の製造方法
本発明の抗ウイルス性衛生用繊維製品を製造する際には、紙、織布、不織布などの繊維状基材（ウェブともいう）の少なくとも１面に、前述したような抗ウイルス性組成物を適用する。抗ウイルス性組成物は、繊維状基材の片面または両面のいずれに適用してもよいが、基材の両面に適用することが好ましい。
【０１０８】
たとえば、ウェットティッシュ、ウェットナプキン、ウェットタオル、ウェットマスク、ウエットフィルターなどの形態（ウェットタイプ）をとる抗ウイルス性衛生用繊維製品は、抗ウイルス性組成物の水溶液等を基材の片面または両面に塗布、噴霧、含浸等することにより、製造することができる。
【０１０９】
一方、乾燥ティッシュ、乾燥ナプキン、乾燥タオル、乾燥衛生用衣類、乾燥フィルターなどの形態（乾燥タイプ）をとる抗ウイルス性衛生用繊維製品も、抗ウイルス性組成物の水溶液等を基材の片面または両面に塗布、噴霧印刷、含浸等することにより、製造することができる。乾燥タイプの抗ウイルス性衛生用繊維製品は、基材の水分率が用途に応じた所定の値となるまで乾燥した後に抗ウイルス性組成物を適用して製造することが好ましい（すなわち"乾燥ウェブ"添加法）が、前述のウェットタイプのものを調製した後に水分率が所定となるよう乾燥させて製造することもできる。この場合、抗ウイルス性組成物は、上記ウェットタイプを乾燥させた範囲で適用される。このような比較的低レベルの抗ウイルス性組成物は、基材に柔軟性とローション様感触を付与し、しかも吸収性、水和性およびとくに強度にあまり影響を及ぼさない。
【０１１０】
抗ウイルス性衛生用繊維製品に適用する抗ウイルス性組成物の量は特に限定されるものではないが、たとえば抗ウイルス性衛生用繊維製品に対して２〜８０重量％の範囲で、ウェットタイプか乾燥タイプかに応じて適宜調整すればよい。また、抗ウイルス性組成物に含まれる抗ウイルス剤、特に抗ウイルス剤中のカキ抽出物またはその処理物などの有効成分（固形分換算）の適用量も、上記抗ウイルス性組成物の適用量や、その組成物中に含まれる抗ウイルス剤、特に抗ウイルス剤中のカキ抽出物またはその処理物などの有効成分の量を調整しながら、抗ウイルス性衛生用繊維製品の態様に応じて適宜調整することができ、特に限定されるものではない。
【０１１１】
抗ウイルス性組成物の溶液または溶融物を基材表面に均等に分布させるためには、公知の各種の方法を用いることができるが、たとえば、浸漬、塗布、噴霧、印刷（例えばフレキソグラフ印刷法）、被覆（例えばグラビアコーティング）、押出し、またはこれらを組み合わせた方法を採用することができる。塗布法について例示すると、抗ウイルス性組成物は回転表面（例えばカレンダーロール）に噴霧され、次いで当該回転表面に付着した組成物は基材の表面に転写される。本発明の抗ウイルス性組成物を基材に適用する場合、グラビアコーティングおよび押出しコーティング法が好ましい。
【０１１２】
抗ウイルス性組成物は基材に適用する前に、３５〜１００℃、好ましくは４０〜９０℃の範囲の温度に加熱される。抗ウイルス性組成物がいったん基材に適用された後に、冷却し、凝固させて凝固コーティングまたは凝固フイルムを基材表面に形成させるのが一般的である。
【０１１３】
抗ウイルス性組成物は、通常は基材の表面に均一に適用されるが、不均一に適用してもよい。"不均一"とは、抗ウイルス性組成物の量、分布パターンなどが基材の表面全体で変動することを意味する。例えば、基材のある部分はより多量のまたはより少量（抗ウイルス性組成物を一切含まない表面を含む）の抗ウイルス性組成物を有することができる。
【０１１４】
本発明の抗ウイルス性衛生用繊維製品は、通常、上記のように抗ウイルス性組成物が適用された基材をそれぞれの用途に加工して製造されるが、繊維状基剤を目的の形状に加工した後に、抗ウイルス性組成物を浸漬、塗布、噴霧方法により、片面または両面に適用するようにして製造することも可能である。
【０１１５】
・抗ウイルス性衛生用繊維製品
本発明の抗ウイルス性衛生用繊維製品は、ティッシュ、ウェットティッシュ、ナプキン、ウェットナプキン、タオル、ウェットタオルなどの清拭用素材、マスク、マスク内補助クロス、衛生用衣類、抗ウイルス性フィルター、抗ウイルス性エアコンフィルターなどに適用できる。
【０１１６】
抗ウイルス性衛生用繊維製品が、ティッシュ、ウェットティッシュ、ナプキン、ウェットナプキン、タオル、ウェットタオルなどの清拭用素材であるときには、上記［組成物Ｉ］〜［組成物IV］の本発明の抗ウイルス性組成物の項目に記載した効果が期待される。抗ウイルス性衛生用繊維製品が、ティッシュ、ウェットティッシュ、ナプキン、ウェットナプキン、タオル、ウェットタオルなどの清拭用素材であるときには、食品、食器、調理器具、魚類等の飼育器具類や飼育水槽、作業者の手指、あるいは患者の汚物を取り扱った器具などに付着した非エンベロープウイルスまたはエンベロープウイルスを不活性化する効果が著しい。そして、アルコールが配合されたときには［組成物Ｉ］、この効果に加えてアルコールのウイルスの不活性化効果および殺菌効果が相乗的に強化される。界面活性剤が配合されたときには［組成物II］、この効果に加えて、界面活性剤の洗浄効果とウイルス不活性化相乗的に強化される。抗菌剤が配合されたときには［組成物III］、この効果に加えてウイルスの不活性化効果および殺菌効果が相乗的に強化される。保湿剤が配合されたときには［組成物IV］、この効果に加えて、ウェットタイプの抗ウイルス性衛生用繊維製品のウイルスの不活性化効果がさらに強化される。
【０１１７】
抗ウイルス性衛生用繊維製品がマスク、マスク内補助クロス、衛生用衣類、抗ウイルス性フィルター、抗ウイルス性エアコンフィルターであるときには、大気環境、作業環境または室内環境に浮遊する非エンベロープウイルスまたはエンベロープウイルスを強力に不活性化することができ、人体への感染を予防することができる。そして、抗菌剤が配合されたときには［組成物III］、この効果に加えてウイルスの不活性化効果および殺菌効果が相乗的に強化される。そして、保湿剤が配合されたときには［組成物IV］、この効果に加えて、ウェットタイプの抗ウイルス性衛生用繊維製品のウイルスの不活性化効果がさらに強化される。
【０１１８】
本発明の抗ウイルス性衛生用繊維製品は、たとえば、マスク内補助クロスとすることが好適である。マスク内補助クロスとは、口および鼻周辺を覆う部分において一般的なマスクと重ね合わせて使用される、使い捨て（交換）可能な部材である。一般的なマスクの場合、マスクを構成する繊維でウイルスを捕捉し、体内へのウイルスの侵入を防止することは可能であっても、捕捉されたウイルスは感染能力を失っていないので、それに接触すると二次感染するおそれがある。これに対して本発明によるマスク内補助クロスは、含浸した抗ウイルス剤、たとえばカキ抽出物またはその処理物によって、捕捉したウイルスの感染能力を喪失させることができるので、定期的にマスク内補助クロスを交換することにより、効率的かつ経済的にウイルスの二次感染を予防することができる。また、様々な形態のマスクと組み合わせて用いることができるという柔軟性があり、たとえば、比較的目の粗いマスクと本発明によるマスク内補助クロスとを組み合わせることにより、楽に呼吸ができるようにしつつ、高いウイルスの感染予防効果を備えたマスクとすることができる。
【実施例】
【０１１９】
以下、本発明の抗ウイルス性衛生用繊維製品のために使用することのできる抗ウイルス剤および抗ウイルス性組成物の、抗ウイルス性試験の結果を参考例として示す。これらの抗ウイルス剤および抗ウイルス性組成物を紙、織布または不織布に含浸させれば、本発明の抗ウイルス性衛生用繊維製品が得られる。なお、以下の記載（表中の記載を含む）において、「％」は特に断りのない限り「重量％」を表す。【０１２０】
［参考例１］ノロウイルスに関する参考例
・ノロウィルス試験液
以下の実施例等で用いた「ノロウィルス試験液」は、患者の便から採取され−８０℃で保存・凍結されていたノロウィルス凍結原液を氷上で解凍し、その１００μＬをとり、リン酸緩衝生理食塩水（ＰＢＳ）で１０倍に希釈し、１００００ｒｐｍで２０分間冷却遠心分離し、沈殿物を除去して調製した（９５０μＬ溶液）。【０１２１】
・リアルタイムＰＣＲ法
以下の実施例等における「リアルタイムＰＣＲ法」は、厚生労働省医薬食品局食品安全部監視安全課長による通達（食安監発第1105001号、平成１５年１１月５日。http://www.mhlw.go.jp/topics/syokuchu/kanren/kanshi/031105-1.html参照）に添付された資料「ノロウィルスの検出法」に準じて行った。【０１２２】
なお、リアルタイムＰＣＲ法では、図１−１における（ａ）および（ｂ）の状態のウィルスゲノム数がカウントされる。つまり、以下の実施例等では（ｃ）のノロウィルス（のＲＮＡ）が消滅した場合のみ「効果あり」と評価され、（ｂ）のノロウィルス（のＲＮＡ）が消滅しなかった場合はたとえ感染・増殖能力が失われていても「効果なし」と評価さる。それにもかかわらず、本発明の抗ノロウィルス用組成物は従来より高い効果があると評価されており、ノロウィルスを（ｂ）の状態にすることも含めた実際上の効果はさらに高いものと考えられる。【０１２３】
［参考例１−１］
［１］カキ抽出物およびエタノール製剤の調製
（ａ）柿シブ発酵液（ＦＡ−１）：カキノキ（渋柿）の未成熟果の粉砕物を目の細かい布袋に入れて搾汁し、この搾汁をガラス容器に入れて約一年自然発酵させた後、固形物を濾別して赤褐色の溶液を得た。この溶液中には約１０％の固形成分（カキ抽出物）が含まれており、その約半分（約５％）がカキタンニンであった。【０１２４】
（ｂ）柿シブ凍結乾燥粉末（ＦＤ−１）：カキノキ（渋柿）の未成熟果の粉砕物を目の細かい布袋に入れて搾汁し、この搾汁を凍結乾燥して粉末を得た。歩留まりは、天然物のため一定しないが、５〜７％程度であった。【０１２５】
上記のカキ抽出物（ＦＡ−１およびＦＤ−１）と、エタノール、クエン酸およびクエン酸三ナトリウムとを用いて、表１−１に示した処方の組成物（エタノール製剤）Ａ１〜Ａ４を調製した。また、カキ抽出物以外の成分を配合した試料を用いて、同じく表１−１に示した処方の試料溶液Ｂ１〜Ｂ７を調製した。【０１２６】
［２］抗ノロウィルス性試験
ノロウィルス試験液２５μＬと、上記のようにして調製した組成物（Ａ１〜Ａ４またはＢ１〜Ｂ７）２５μＬずつとを十分に混合し、混合液を室温で２分間放置した後、ＰＢＳで５０倍に希釈した。これらの希釈液を用いて、ＲＮＡの抽出、ｃＤＮＡの合成等の処理を行った後、リアルタイムＰＣＲ法により希釈液中に残存していたウィルスゲノムＲＮＡ数をカウントした。また、上記それぞれの試料溶液に対するコントロールについても同様に試験した。これらの測定値の対比から、各組成物についてノロウィルスの抑制率を求めた。【０１２７】
結果は表１−１に示した通りである。従来の汎用的な抗菌剤であり、抗ノロウィルス作用が認められているポピドンヨードを配合した組成物Ｂ１に比べて、カキ抽出物（ＦＤ−１またはＦＡ−１）を配合した組成物Ａ１〜Ａ４の抑制率はいずれも顕著に高かった。また、加水分解性タンニンや低分子のタンニンないし類縁化合物を配合した組成物については、ノロウィルスに対する有効性が全く認められなかった。【０１２８】
【表１−１】
0005571577.tif 000008
【０１２９】
［３］抗菌性試験
（１）試験サンプル
前述のようにして調製したカキ抽出物（ＦＤ−１）と、グリセリン−カプロン酸エステル、クエン酸、クエン酸三ナトリウムおよびエタノールとを用いて、表１−２に示した処方の組成物Ａ５〜Ａ７を調製した。これらの組成物Ａ５〜Ａ７の原液とこれらを精製水で２，４，８，１６および２０倍に希釈した希釈液を試験サンプルとして用いた。【０１３０】
【表１−２】
0005571577.tif 000009
【０１３１】
（２）細菌の種類
大腸菌…ＩＦＯ３３０１株
黄色ブドウ球菌…ＩＦＯ１２７９２株
（３）培地および培養条件
大腸菌…デソキシコレート寒天培地にて３５℃、２４時間培養
黄色ブドウ球菌…マンニットソルト寒天培地にて３５℃、４８時間培養
（４）操作
試験サンプル各９ｍＬに菌液１．０ｍＬずつを加えて撹拌し、１分間感作させた後、それぞれの選択培地に塗沫し、それぞれの培養時間後に繁殖状態を確認して、効果を判定した。結果は表１−３に示す通りである。【０１３２】
【表１−３】
0005571577.tif 000010
【０１３３】
大腸菌および黄色ブドウ球菌のいずれに対しても、Ａ７＞Ａ６＞Ａ５の順で強い抗菌性が示された。このような結果から、エタノール、脂肪酸エステル、さらに有機酸およびその塩を併用することにより、ノロウィルスに対する効果のみならず、大腸菌等の細菌に対する効果にも優れた抗ノロウィルス用組成物が得られることがわかる。【０１３４】
［参考例１−２］
［１］カキ抽出物および手洗いフォーム剤・ハンドローション剤の調製
（ｃ）カキ抽出物（柿渋ＦＤ２−２）：十分に殺菌（NaClO）、洗浄、変色防止（ビタミンＣ）等の処理をした柿の実をダイス状にカットして潰した。得られた果実・果汁溶液を２００メッシュ篩にかけ、高温殺菌処理（１２０〜１３０℃、７〜１０秒）をした後、フリーズドライ処理をして、粉末状のカキ抽出物（柿渋ＦＤ２−２）を調製した。【０１３５】
下記表１−４に示す成分を撹拌混合し、上記のカキ抽出物（ＦＤ２−２）を含有する３種類の手洗いフォーム剤を調製した。また、下記表１−５に示す成分を撹拌混合し、上記のカキ抽出物（ＦＤ２−２）を含有するハンドローション剤を調製した。【０１３６】
【表１−４】
0005571577.tif 000011
【０１３７】
【表１−５】
0005571577.tif 000012
【０１３８】
［２］ノロウィルスの不活性化試験
上記参考例１−２で調製した手洗いフォーム剤およびハンドローション剤それぞれ１０μＬと、ノロウィルス試験液１０μＬとを十分に混合した後、室温で３０秒、６０秒または１２０秒間放置した。また、トータルコントロール（ＰＢＳ(phosphate-buffered saline, リン酸緩衝生理食塩水)のみ）１０μＬについても、ノロウィルス試験液１０μＬとを十分に混合した後、室温で１２０秒間放置した。これらの試料から５μＬを採取して２ｍＬのＰＢＳで希釈し（４００倍）、ＲＮＡの抽出、ｃＤＮＡの合成等の処理を行った後、リアルタイムＰＣＲ法により希釈液中に残存していたウィルスゲノムＲＮＡ数をカウントした。【０１３９】
一方、上記試料のコントロールとして、参考例１−２で調製した手洗いフォーム剤およびハンドローション剤それぞれ５μＬをあらかじめ４ｍＬのＰＢＳで希釈した後、ノロウィルス試験液５μＬと十分に混合して、室温で１２０秒間放置した。そしてこれらの試料についても、ＲＮＡの抽出、ｃＤＮＡの合成等の処理を行った後、リアルタイムＰＣＲ法により希釈液中に残存していたウィルスゲノムＲＮＡ数をカウントした。【０１４０】
結果は［図１−２］に示したとおりである。参考例１−２で調製した手洗いフォーム剤およびハンドローション剤はいずれも、極めて高い抗ノロウィルス性を有することが示されている。【０１４１】
［参考例１−３］ビタミンＣによる抗ノロウイルス活性の安定化試験
［１］  前記参考例１−２において調製した手洗いフォーム剤（ＫＳＦ１５−２）およびハンドローション剤（ＫＳＹＨＬ−５）と、それぞれにビタミンＣを１％添加したもの（ＫＳＦ１５−２(VC)／ＫＳＹＨＬ−５(VC)）とを用意し、２００８年２月９日〜２６日の１７日間（晴天）、太陽光下に保持した。これら４種類のサンプルおよびトータルコントロールについて、前記参考例１−２［２］と同様の手順で（ノロウイルス試験液とサンプルとの接触時間は２分間）ノロウイルスの不活性化試験を行った。【０１４２】
結果は図１−３に示すとおりである。手洗いフォーム剤、ハンドローション剤いずれについても、ビタミンＣの添加により抗ノロウイルス活性が高い水準で保持されていることがわかる。手洗いフォーム剤はビタミンＣ未添加でも大きな活性の低下は認められなかったが、ハンドローション剤はビタミンＣ未添加のまま太陽光にさらすことにより、抗ノロウイルス活性が失われてしまった。【０１４３】
［２］  カキ抽出物（前記ＦＤ２−２）０．３％、エタノール５０％、クエン酸１．６％、クエン酸三ナトリウム０．５％、グリセリンモノカプレート０．５％および水（残部）からなる組成物（ＨＡ−７２）、カキ抽出物（前記ＦＤ２−２）０．３％、エタノール５０％、クエン酸１．６％、クエン酸三ナトリウム０．５％、グリセリンモノカプレート０．５％、ビタミンＣ０．５％および水（残部）からなる組成物（ＨＡ−７２(VC)）を調製し、さらに上記［１］で調製したＫＳＦ１５−２(VC)およびＫＳＹＨＬ−５(VC)を再度用いて、１０日間太陽光下に保持した。これら４種類のサンプルについて、前記参考例１−２［２］と同様の手順で（ノロウイルス試験液とサンプルとの接触時間は２分間）ノロウイルスの不活性化試験を行った。【０１４４】
結果（残存したノロウイルス数の平均値、n=3）は図１−４に示すとおりである。組成物がエタノール製剤の態様をとる場合にも、上記［１］の結果と同様、ビタミンＣを添加することにより抗ノロウイルス活性が高い水準で保持されることがわかる。
［参考例１−４］クエン酸による抗ノロウイルス活性の相乗効果試験
カキ抽出物（前記ＦＤ２−２）０．３％、エタノール５０％および水（残部）からなるエタノール溶液Ａ、カキ抽出物（前記ＦＤ２−２）０．３％、クエン酸１．６％、エタノール５０％および水（残部）からなるエタノール溶液Ｂ、およびトータルコントロールを調製し、前記参考例１−２［２］の方法に準じて（ノロウイルス試験液とサンプルとの接触時間は２分間）ノロウイルスの不活性化試験を行った。【０１４５】
結果は図１−５に示すとおりである。コントロールを１００としたときのノロウイルス残存率は、エタノール溶液Ａが６．７、エタノール溶液Ｂが０．０８であり、カキ抽出物およびエタノールにさらにクエン酸を添加することにより、抗ノロウイルス活性は一層顕著なものになることがわかる。【０１４６】
［参考例２］ノロウイルス以外の非エンベロープウイルスに関する参考例
カキ抽出物の調製
（ａ）柿渋発酵液（HA-23用）：カキノキ（渋柿）の未成熟果の粉砕物を目の細かい布袋に入れて搾汁し、この搾汁をガラス容器に入れて約一年自然発酵させた後、固形物を濾別して赤褐色の溶液を得た。この溶液中には約１０％の固形成分（カキ抽出物）が含まれており、その約半分（約５％）がカキタンニンであった。【０１４７】
（ｂ）柿渋ＦＤ末（HA-72A／HA-201用）：十分に殺菌（NaClO）、洗浄、変色防止（ビタミンＣ）等の処理をした、蔕を切除した柿の未成熟果を、ダイス状にカットして潰した。得られた果実・果汁溶液を２００メッシュ篩にかけ、遠心分離し、高温殺菌処理（１２０〜１３０℃、７〜１０秒）をした後、フリーズドライ処理をして、粉末状のカキ抽出物を調製した。【０１４８】
試薬の調製
表２−１に示す配合組成に従った試薬を調製し、以下に述べる魚病ウイルスまたはヒト病原ウイルスに対する効果の検証（参考例２−１〜２−５）に用いた。【０１４９】
【表２−１】
0005571577.tif 000013
【０１５０】
［参考例２−１］魚病ウイルスに対する効果の検証
（１）使用ウイルス
使用ウイルスの特徴を表２−２に示す。ウイルス性神経壊死症ウイルス（NNV）（Schneemann et al., 2005）を原因体とするウイルス性神経壊死症は、種々の海産魚に発生し非常に死亡率の高い疾病である。アクアビルナウイルス（ABV）（Nguyen et al., 1994）は２本鎖RNAをゲノムとして持つ球形ウイルスで、カワマス、ニジマス、ウナギ、ヒラメ等の魚種に伝染性膵臓壊死症を発症させる。マダイイリドウイルス（RSIV）（中島員洋・栗田  潤、2005）は、マダイイリドウイルス病の原因体であるが、近年はマダイだけでなく、ブリ、カンパチ、スズキなど多魚種で病気が発生している。日本における魚介類疾病の中で、本病は最も被害報告件数の多いものの１つである。【０１５１】
【表２−２】
0005571577.tif 000014
【０１５２】
（２）ウイルスと被検試薬との混合
前述の配合組成に従って調製した試薬のうち表３に挙げたものを、Hanks' balanced salt solution （日水）（HBSS）を用いて希釈し、カキ抽出物または対照物が0.3%または0.03%となる濃度に調整した。これらの試薬50 μLに対し、各種ウイルス液50 μLを混合し（カキ抽出物または対照物の最終濃度は0.15%または0.015%）、常温で2分間静置した。その後、9.9 mLのHBSSを加えて反応を止め、さらにこれらサンプルの10倍の希釈系列をHBSSを用いて作製した。【０１５３】
（３）魚類培養細胞を用いたウイルス力価測定試験
表２−２に示した各魚類培養細胞を96穴プレート（IWAKI）に80% confluentとなるように播き、培地を各wellに90 μLずつ加えて24時間培養した。なお、使用した培地はL-15（E-11用）、MEM（RTG-2用）およびBME（GF用）である。その後、先に作製した希釈系列液を各wellに10 μLずつ接種し、さらに10日間培養を行って細胞変性効果（ウイルス感染の指標）の出現を確認した。細胞変性効果が見られなくなる限界希釈点を確認し、Reed and Muench (1938)の方法に従ってウイルス力価を測定した。コントロール区のウイルス力価（100%）に対する試験区のウイルス力価の割合を計算し、抗ウイルス活性を評価した。【０１５４】
（４）実験結果
各試薬の抗ウイルス作用は表２−３に示す通りである。【０１５５】
【表２−３】
0005571577.tif 000015
【０１５６】
［参考例２−２］ヒト病原ウイルス（コクサッキーウイルス）に対する効果の検証
（１）試験ウイルス
コクサッキーウイルスＢ群５型
（非エンベロープウイルス、臨床分離株、２才女児 無菌性髄膜炎由来 FL 細胞２代継代）
（２）ウイルス感染価測定法
FL 細胞に感染させ、Behrens-Kaerber 法を用いて50%感染量(単位：50% tissue culture infectious dose [TCID50])を算出する。【０１５７】
FL cells: HeLa 細胞（ヒト子宮頸癌上皮細胞由来）の混入細胞株。【０１５８】
（３）試験方法
元のウイルスに含まれる血清の影響を排除するために、ウイルス液をあらかじめPBSで50 倍に希釈した。この希釈ウイルスと、前述の配合組成に従って調製した試薬のうち表４に挙げたものおよびPBS、50%(v/v) ethanolそれぞれを等量ずつ（100μL）混和して、室温で3 分間反応させたのち、希釈液で10 倍毎の希釈列を作り、96 穴プレートの細胞に接種して数日後CPE の広がりを観察し、ウイルス感染価を測定した。
希釈液： Dulbecco’s modified Eagle’s minimum essential medium, penicillin G,  streptomycin, amphotericin B（無血清）
（４）結果
各試薬の抗ウイルス作用は表２−４および図２−１に示す通りである。HA-72AおよびHA-201（カキ抽出物）でコクサッキーウイルス活性価が３万〜５万分の１以上に抑制され、強い抗ウイルス活性が見られた。一方、他の試薬ではこのような活性はみられなかった。このことから、カキ抽出物が抗ウイルス活性の主体であり、クエン酸、エタノール等は抗コクサッキーウイルス活性を持たないと考えられる。なお、HA-72AおよびHA-201でも一見すると処理後にウイルス感染性が残っているように見えるが、これは試薬自体による細胞傷害性のレベルであり、必ずしもウイルスによる変化ではない。ウイルスはほぼ完全に失活していると考えても矛盾しない。【０１５９】
【表２−４】
0005571577.tif 000016
【０１６０】
［参考例２−３］ヒト病原ウイルス（アデノウイルス）に対する効果の検証
（１）試験ウイルス
アデノウイルス（非エンベロープウイルス、アデノウイルス５型由来のヘルペスウイルス・チミジンキナーゼを発現する非増殖性アデノウイルス）
（２）試験方法
試験方法ウイルス液と薬剤を等量ずつ（3.5μL）混和して、室温で 3分間反応させたのち、希釈液で 10倍毎の希釈列を作り、カバースリップ上の FL細胞に接種してウイルス感染価を測定した。
希釈液： Eagle’s minimum essential medium, penicillin G, streptomycin（無血清）
（３）ウイルス感染価測定法
カバースリップ（9 x 28 mm）上の単層 FL細胞 [HeLa細胞（ヒト子宮頸癌上皮細胞由来）の混入細胞株] を PBSで１回洗浄し、50μLのウイルス液を感染させ、１時間の吸着後にPBSで１回洗浄して細胞維持液(希釈液と同じ)を加えて培養する。【０１６１】
２日後に抗アデノウイルス抗体（モノクローナル抗体：Chemicon MAB805）とAlexa Fluor 488標識抗マウス IgG抗体（SantaCruz Biotechnology）で蛍光染色を行い、蛍光顕微鏡下（400倍）で視野中の陽性細胞をカウントする。（20視野の平均値を求める。）視野の面積をもとに、陽性細胞数をカバースリップあたりに換算し、さらにウイルス液 1 mlあたりの感染価を計算する（単位は CIU (cell infecting units)/ml; Kiyotani et al., Virology 177:65-74, 1990）。【０１６２】
FL細胞では、使用しているアデノウイルスは、最初の感染の後にウイルス蛋白質を合成するが、子孫ウイルスを作れず、ウイルスが隣や周囲の細胞に広がらない。そのため、陽性細胞は、少なくとも１個の感染性ウイルスと対応する。これにより、元のウイルス液の感染価を測定できる。実際の蛍光顕微鏡像を図２−２に示す。293T細胞では、このウイルスは多段階増殖が可能であり、隣の細胞に広がっているのが観察できる。【０１６３】
（４）結果
各試薬の抗ウイルス作用は表２−５および図２−３に示す通りである。【０１６４】
【表２−５】
0005571577.tif 000017
【０１６５】
HA-72Aはアデノウイルスに対して強い不活化活性をもっていた。50%エタノール、クエン酸+50%エタノール（HA-202）では不活化能がないが、1%柿しぶ+50%エタノール（HA-201）でアデノウイルス感染価が抑制されたので、柿しぶがアデノウイルスに対する抗ウイルス活性の主体であると考えられる。また、他の試薬では、タンニン酸とカテキンに同様の強いウイルス不活化活性があった。【０１６６】
本実験では、アデノウイルスの代わりに遺伝子欠損非増殖性アデノウイルスを使用したが、これは遺伝子の一部を欠損しているものの、粒子構造は通常のウイルスと違いはなく、ウイルスの吸着と侵入の過程にも違いがないと考えられる。従って、本実験の結果は、通常のアデノウイルスにも当てはまると考えられる。【０１６７】
この表２−５および図２−３の結果から、柿しぶ、タンニン酸およびカテキンに抗アデノウイルス効果が顕著であることがわかる。【０１６８】
［参考例２−４］ネコカリシウイルスに対する効果の検証
（１）試験ウイルス
ネコカリシウイルス（非エンベロープウイルス、CRFK細胞２代継代、国立医薬品食品衛生研究所より分与。それ以前の分離・継代歴は不明。）
（２）細胞
CRFK cells:ネコ腎由来培養細胞。国立医薬品食品衛生研究所より分与。（ATCC CCL-94と同一の細胞と推測される。）
（３）ウイルス感染価測定
元のウイルスに含まれる血清の影響を排除するために、ウイルス液をあらかじめ希釈液（Eagle's minimum essential medium, penicillin G, streptomycin）で 5倍に希釈する。この希釈ウイルスと薬剤を等量ずつ（各 35μL）混和して、室温で3分間反応させたのち、希釈液で 10倍段階希釈列を調製した。【０１６９】
96穴プレートの単層 CRFK細胞を PBSで１回洗浄し、希釈したウイルス液を接種した（50μL/well）。ウイルスの吸着・侵入のために炭酸ガス培養器で１時間インキュべートしたのち、PBSで１回洗浄して、細胞維持液（希釈液と同じ）を加えて（100μL/well）培養した。３日後以降に CPEが広がったところで固定・染色し、Behrens-Kaerber法を用いて 50%感染量(単位：50% tissue culture infectious dose[TCID50])を算出し、ウイルス感染価を測定した。【０１７０】
固定・染色後のプレートの例を図２−４に示し、それから計算される感染価を以下に示す。（予備実験で細胞維持液に血清を加えた場合の効果を検討したもの。）。【０１７１】
（４）結果
各試薬の抗ウイルス作用は表２−６および図２−５に示す通りである。【０１７２】
【表２−６】
0005571577.tif 000018
【０１７３】
この実験では、ウイルス液を接種する時間を１時間だけにして、薬剤の細胞への毒性の影響を最小限にするようにしたが、それでも 10の-1乗希釈では、薬剤のために細胞が傷害された。10の-1乗希釈まで傷害が出た場合は、ウイルス感染によると仮定すると 3.2 x 101TCID50/mlの感染価に相当する。この値以下は結果が、薬剤によるものかウイルスによるものか判断できず、実験が無意味なので、この値を下限としてグラフを作成した。【０１７４】
HA-72A、HA-201（柿しぶ）で強い感染価の抑制が見られ、柿しぶにネコカリシウイルス不活化効果があることが確かめられた。一方、HA-202（クエン酸）、HA-19（プロピルガレート）、HA-20（緑茶タンニン）、HA-21（ピロガロール）でもウイルス抑制効果が見られた。【０１７５】
HA-202（クエン酸）ではウイルスが失活したが、HA-16では失活しなかった。この実験は繰り返して再現性があることを確かめた。試薬の pHを測定したところ、HA-202は pH4.0, HA-16は 4.20と少し差があった（表２−７）。【０１７６】
【表２−７】
0005571577.tif 000019
【０１７７】
このような pHの差が、ネコカリシウイルスの失活に有意な可能性がある。一般に、ネコカリシウイルスは呼吸器のウイルスで酸に対して感受性が高いとされている。【０１７８】
［参考例２−５］ロタウイルスに対する効果の検証
（１）使用ウイルス
ロタウイルス Wa 株
岡山県環境保健センター葛谷光隆先生から分与を受けた。愛媛県衛生研究所大瀬戸光明先生から分与されたものを、岡山県環境保健センターで88代継代したものである。【０１７９】
なお、ロタウイルス（Rotavirus）は、レオウイルス科ロタウイルス属に属する分節した二本鎖RNAを遺伝子とする非エンベロープウイルスであり（直径60-80 nm）、急性胃腸炎を起こす。特に乳児に冬期下痢症（白色の米のとぎ汁様の便から白痢と呼ばれる）の原因になる。【０１８０】
（２）細胞
MA104細胞（アフリカミドリザル胎児腎由来、上皮様）岡山県環境保健センター葛谷光隆先生から分与を受けた。分与時には岡山県環境保健センターで55代継代されていた。10% fetal bovine serum (FBS) を含むEagle's minimum essential medium (MEM)で培養した。【０１８１】
（３）ウイルス感染価測定法
ウイルス液と薬剤を等量ずつ（35μL）混和して、室温で3分間反応させたのち、希釈液（MEM）で10倍毎の希釈列を作り、カバースリップ（9 x 28 mm）上のMA104細胞に50μLのウイルス液を感染させ、１時間の吸着後にPBSで１回洗浄して増殖培地(10% FBS-MEM)を加えて培養した。【０１８２】
1日後に抗ロタウイルス抗体（モノクローナル抗体：Abgene REMEI-1）とAlexa Fluor 488標識抗マウスIgG抗体（SantaCruz Biotechnology）で蛍光染色を行い、蛍光顕微鏡下（400倍）で視野中の陽性細胞をカウントした。（20視野の平均値）視野の面積をもとに、カバースリップあたりの陽性細胞数を算出し、さらにウイルス液1 mlあたりの感染価を計算した（単位はCIU (cell infecting units)/ml; Kiyotani et al., Virology 177:65-74, 1990）。陽性細胞が少ない場合は、カバースリップ全体を観察して陽性細胞を計測した。【０１８３】
ロタウイルスは多段階増殖するためにトリプシンが必要である。本測定ではトリプシンを添加していないので、最初の感染細胞から出たウイルスは隣の細胞に感染できない。そのため、１個の陽性細胞は、ほぼ１個の感染性ウイルスと対応する。これにより、元のウイルス液の感染価を測定できる。実際の蛍光像を図２−６に示す。【０１８４】
（４）結果
各試薬の抗ウイルス作用は表２−８に示す通りである。ロタウイルスは、柿しぶ、クエン酸ペンタガロイルグルコース、ワットルタンニン、コーヒータンニン、プロピルガレート、緑茶タンニンおよびピロガロール（それぞれ+50%エタノール）のいずれによっても不活化された。また、50%（v/v）エタノールだけでは不活化は不完全であるが、80%（v/v）までエタノール濃度を高めるとほぼ完全に不活化された。【０１８５】
【表２−８】
0005571577.tif 000020
【０１８６】
以上の参考例２−２〜２−５のコクサッキーウイルス、アデノウイルス、ネコカリシウイルスおよびロタウイルスに対する各種試薬の抗ウイルス活性を下記の表にまとめて示す。【０１８７】
【表２−９】
0005571577.tif 000021
【０１８８】
［参考例３］エンベロープウイルスに関する参考例
［参考例３−１］
表３−１に示す配合組成に従った薬剤を調製し、ヒト型インフルエンザウイルス、トリ型インフルエンザウイルス、水疱性口内炎ウイルスについてはそのまま、単純ヘルペスウイルス１型およびニューカッスル病ウイルスについてはさらに水で半分に希釈して、以下の実施例に用いた。対照としてはリン酸緩衝生理食塩水（ＰＢＳ）を用いた。なお、柿渋ＦＤ末（カキ抽出物）は、十分に殺菌（NaClO）、洗浄、変色防止（ビタミンＣ）等の処理をした、蔕を切除した柿の未成熟果をダイス状にカットして潰し、得られた果実・果汁溶液を２００メッシュ篩にかけ、遠心分離し、高温殺菌処理（１２０〜１３０℃、７〜１０秒）をした後、フリーズドライ処理をして調製したものを用いた。【０１８９】
【表３−１】
0005571577.tif 000022
【０１９０】
【表３−２】
0005571577.tif 000023
【０１９１】
上記表３−２に示した試験ウイルスそれぞれのウイルス液と、上記表３−１に示した薬剤または対照それぞれとを当量ずつ（各35μL）混和して、室温で3分間反応させた後、DMEM (Sulbecco's modified minimun essential medium）で10倍段階希釈列を調製した。希釈したウイルス液を96穴プレートの単層培養細胞に接種し（100μL/well）、培養した。4日後以降にCPEが広がったところで固定・染色し、Behrens-Kaerber法を用いて50%感染量（単位：50% tissue culture infections dose [TCID50]）を算出し、ウイルス感染価を測定した。結果は表３−３および図３−１〜３−５に示す通りである。【０１９２】
【表３−３】
0005571577.tif 000024
【０１９３】
上記５種類のウイルスはいずれも、20%または10%(w/w)エタノールではほとんど影響を受けない一方、さらに柿渋ＦＤ末、ワットルタンニン、または緑茶タンニンを配合した場合に感染価が大きく低下し、抗ウイルス活性が確認された。この結果は、これらの物質がそれぞれが単独で、広範なエンベロープウイルスに対する優れた有効成分となることを示している。【０１９４】
また、ペンタガロイルグルコースは、水疱性口内炎ウイルスに対してはやや弱いものの、各ウイルスに対する抗ウイルス活性が確認された。ピロガロールも、ニューカッスル病ウイルスを除く４種のウイルスに対する抗ウイルス活性が確認された。さらに、グリセリンモノカプレートは上記５種のウイルス全てに対して、クエン酸・クエン酸三ナトリウムはニューカッスル病ウイルスを除く４種のウイルスに対して、抗ウイルス活性が確認された。【０１９５】
一方、コーヒータンニンについては、上記５種のいずれのウイルスに対しても抗ウイルス活性をほとんど示さなかった。プロピルガレートは、ウイルスの種類によって多少の抗ウイルス活性を示した。【０１９６】
［参考例３−２］
ウイルス性出血性敗血症ウイルス（VHSV）は、マス類に出血性敗血症をもたらすが、近年ヒラメ等でも本病が確認されている（Takano et al., 2001）。【０１９７】
被検試薬を表３−４に示す。各被検試薬は、Hanks' balanced salt solution （日水）（HBSS）を用いて0.2%の濃度に調整した。その試薬50 μLに対し、各種ウイルス液50 μLを混合し（試薬終濃度0.1%）、常温で2分間静置した。その後、9.9 mLのHBSSを加えて反応を止め、さらにこれらサンプルの10倍の希釈系列をHBSSを用いて作製した。【０１９８】
【表３−４】
0005571577.tif 000025
【０１９９】
ウイルス力価測定試験は、まずFHM魚類培養細胞（Pimephales promelas由来）を96穴プレート（IWAKI）に80% confluentとなるように播き、培地を各wellに90 μLずつ加えて24時間培養した。なお、培地はMEMを使用した。その後、先に作製した希釈系列液を各wellに10 μLずつ接種し、さらに10日間培養を行って細胞変性効果（ウイルス感染の指標）の出現を確認した。細胞変性効果が見られなくなる限界希釈点を確認し、Reed and Muench (1938)の方法に従ってウイルス力価を測定した。コントロール区のウイルス力価（100%）に対する試験区のウイルス力価の割合を計算し、抗ウイルス活性を評価した（表３−５）。【０２００】
【表３−５】
0005571577.tif 000026
【０２０１】
ウイルス性出血性敗血症ウイルスに対しては、発酵柿渋液（カキ抽出物）、ペンタガロイルグルコース、ワットルタンニン、緑茶タンニン（カテキン類）、ピロガロールが高い効果を示し、これらが優れた有効成分となりうることが示されている。また、没食子酸、五倍子タンニンもこれらに近い効果を示し、コーヒータンニンも一定の効果を示した。【０２０２】
［参考例３−３］
（１）使用薬剤
HA-72A（参考例２参照）およびKSF15-2（参考例１−２参照）、および対照としてリン酸緩衝生理食塩水（PBS）
（２）使用ウイルス
鳥インフルエンザウイルス  A/swan/Shimane/499/83(H5N3)
（３）細胞
MDCK(+) cells
（イヌ腎尿細管上皮細胞由来：Noma K et al. Arch. Virol. 143:1893-1909, 1998.）
（４）ウイルス感染価測定法
ウイルス液と薬剤を等量ずつ（各35μL）混和して、室温で3 分間反応させたのち、DMEM (Dulbecco's modified minimum essential medium)で10 倍段階希釈列を調製した。希釈したウイルス液を96 穴プレートの単層培養細胞に接種し（100μL/well）、培養した。4 日後以降にCPE が広がったところで固定・染色し、Behrens-Kaerber 法を用いて50%感染量(単位：50% tissue culture infectious dose[TCID50])を算出し、ウイルス感染価を測定した。【０２０３】
処理時間の検討のためには、ウイルス液と薬剤を混合して、所定の時間（10, 30,60 秒）後にDMEM で500 倍に希釈して薬剤との反応を停止させ、同様に感染価を測定した。得られた感染価は500 倍にして補正した。【０２０４】
（５）結果
薬剤の作用：
HA-72AおよびKSF15-2ともに３分間の処理でウイルス活性が検出限界以下に低下した（表３−６および図３−６参照）。両薬剤ともに細胞に対して、ある程度傷害性があるので、結果の「3.2E+03 TCID50/ml」というのはウイルスの作用が検出できる限界である。【０２０５】
【表３−６】
0005571577.tif 000027
【０２０６】
処理時間の効果：
500 倍に希釈しているために1.6.E+04 TCID50/ml がウイルス活性の検出限界である（表３−７参照）ので、10 秒間の処理で、すでにウイルス活性が検出できないほど低下していると考えられる。【０２０７】
【表３−７】
0005571577.tif 000028
【０２０８】
以上、両試薬とも、鳥インフルエンザウイルスを検出できないほど不活化（約3000 倍以上）する。また、少なくとも10 秒の処理で有効であると考えられる。【０２０９】
［参考例３−４］
（１）使用薬剤
HA-72A（参考例２参照）およびKSF15-2（参考例１−２参照）、および対照としてリン酸緩衝生理食塩水（PBS）
（２）使用ウイルスおよび細胞【０２１０】
【表３−８】
0005571577.tif 000029
【０２１１】
（３）ウイルス感染価測定法
ウイルス液と薬剤を等量ずつ（各35μL）混和して、室温で3分間反応させたのち、PBSで10倍段階希釈列を調製した。希釈したウイルス液を96穴プレートの単層培養細胞に接種し（50μL/well）、30分間ウイルス吸着を行った。その後、ウイルス接種液を吸引除去し、DMEM, 20μg/mlトリプシン（100μL/well）を加えた。6日後にCPEが広がったところで固定・染色し、Behrens-Kaerber法を用いて50%感染量(単位：50% tissue culture infectious dose [TCID50])を算出し、ウイルス感染価を測定した。【０２１２】
（４）結果および考察
HA-72AおよびKSF15-2ともに、H1N1ウイルスを高度に不活化した（表３−９および図３−７参照）。元のウイルスの感染価がそれほど高くなかったので、0.06%以下に抑制したという結果であるが、実際にはこれよりも高度に不活化している可能性がある。【０２１３】
【表３−９】
0005571577.tif 000030
【０２１４】
［参考例３−５］
（１）水性搾汁液の製造法
原料青柿（千葉産県百目柿，２００９年８月２２日採取）３３０ｇを洗浄乾燥し蔕を除去した後、約２センチ角に切断すると同時に種を取り除いた（２８０ｇ）。これをミキサーに取り、Ｌ−アスコルビン酸（ビタミンＣ）２．８ｇ（１％）と精製水２８０ｍｌと共に約３分間かけて十分に粉砕した。これを不織布で数回に分けて搾り７０〜８０℃で約３０分加熱滅菌すると淡黄色液が得られた（４６０ｇ）。この水性搾汁液（カキ抽出物処理物）を密閉容器に入れて常温に置いたところ、長期間（少なくとも３ヶ月間）、異臭、変色、沈殿を生じることなく保存可能であった。【０２１５】
柿果肉の糖度      ９．４％（糖度計  ＡＴＡＧＯ  Ｐａｌ−１）
タンニン含有量    ２．２％（定量法  Ｆｏｌｉｎ−Ｄｅｎｉｓ法）
（２）エタノール性絞汁液の製造法
原料青柿（千葉県産百目柿，２００９年８月２２日採取）３００ｇを洗浄乾燥し蔕を除去した後、約２センチ角に切断すると同時に種を取り除いた（２６０ｇ）。これをミキサーに取り、Ｌ−アスコルビン酸（ビタミンＣ）２．６g（１％）と９５％エタノール２６０ｍｌ(２１０ｇ)と共に約３分かれて十分に粉砕した。これを不織布で数回に分けて搾ると淡黄緑色液が得られた（４３０ｇ）。このエタノール性搾汁液（カキ抽出物処理物）を密閉容器に入れて常温に置いたところ、長期間（少なくとも３ヶ月間）、異臭、変色、沈殿を生じることなく保存可能であった。【０２１６】
柿果肉の糖度      ９．５％（糖度計  ＡＹＡＧＯ  Ｐａｌ−１）
タンニン含有量    ２．４％（定量法  Ｆｏｌｉｎ−Ｄｅｎｉｓ法）
［実施例１］
（１）使用薬剤
5%柿しぶ液（in 50%(w/w) エタノール）あるいは1%, 0.1%, 0.01%, 0.001%, 0.0001%柿しぶ液に浸した不織布。対照として50%(w/w) エタノール（0% 柿しぶ液）に浸した不織布を用いた。なお、本実施例で用いた「柿しぶ」は、前記参考例３−１で用いた「柿渋ＦＤ末（カキ抽出物）」である。【０２１７】
（２）試験ウイルス
鳥由来インフルエンザウイルス A/swan/Shimane/499/83(H5N3)、試験には、発育鶏卵で増殖後に蔗糖密度勾配遠心法で精製し、PBSに対して透析したものを用いた。【０２１８】
（３）細胞
MDCK(+) cells（イヌ腎尿細管上皮細胞由来：Noma K et al. Arch. Virol. 143:1893-1909, 1998.）
（４）実験方法
（ｉ）布の前処理
上記薬剤に約60分間浸した不織布を安全キャビネット内の無菌環境で１日間以上乾燥し、タンニンを固定した。固定されなかった余分なタンニンを除去するため、滅菌水で4回、滅菌PBSで1回洗浄し、そののち再び乾燥、あるいは半乾燥の状態で実験に用いた。【０２１９】
（ii）不織布とウイルスの反応
布を適当な大きさに切断し（乾燥布の場合は約20mg、半乾燥の場合には乾燥布と同程度の大きさ）、６ウェルプレートあるいは12ウェルプレートに置いた。ウイルス液10μLあるいは, 50μL, 100μLを不織布にしみ込ませて、炭酸ガス培養器内で30分間反応させたのち、過剰量（300μLあるいは500μL, 1000μL）のDMEM (Dulbecco’s modified minimum essential medium)を入れてピペッティングでウイルスを溶出した。ウイルス液量あるいは溶出に用いたDMEM量は、ひとつの実験では対照と揃えて同一の量を用いている。【０２２０】
（iii）ウイルス感染価測定法
溶出したウイルスの10倍段階希釈列をDMEMを用いて調製した。希釈したウイルス液を96穴プレートの単層培養細胞に接種し（50μL/well）、炭酸ガス培養器内で30分間吸着を行い、ウイルス接種液を吸引除去して20μg/mlトリプシンを含むDMEM（100μL/well）を加えて培養した。4日後以降にCPEが広がったところで固定・染色し、Behrens-Kaerber法を用いて50%感染量(単位：50% tissue culture infectious dose [TCID50])を算出し、ウイルス感染価を測定した。【０２２１】
（５）結果
（ｉ）柿しぶ処理不織布の作用
元のウイルス液に比較して、対照（0% 柿しぶ処理）不織布であってもかなりの程度ウイルスの感染価が低下したが、5% 柿しぶ処理不織布ではさらに残存ウイルスの減少が見られた（元のウイルス液の約 1/1000、対照不織布の約1/20。表４−１および図４−１参照）。柿しぶ処理によってインフルエンザウイルスが不活化されたと考えられる。【０２２２】
【表４−１】
0005571577.tif 000031
【０２２３】
（ii）柿しぶ濃度の効果
1 %柿しぶ処理不織布のウイルス感染価は、0% 柿しぶ処不織布に比べて約1/20に低下したが、0.1%以下の濃度ではウイルス感染価の低下は見られなかった（表４−２および図４−２参照）。【０２２４】
【表４−２】
0005571577.tif 000032
【０２２５】
（６）考察
柿しぶ処理不織布によるインフルエンザウイルスの感染価低下が認められた。また、１％柿しぶ液処理で十分な効果があったが、0.1%あるいはそれ以下の濃度の柿しぶ液処理では、50%(w/w) エタノールのみで処理した場合と比較して、感染価低下が認められなかった。【０２２６】
ただし、上記実施例は本発明の一態様を示すものにすぎず、対象とするウイルスや繊維状基材の種類、あるいは繊維状基材に含浸させる組成物の配合組成によって、カキ抽出物またはその処理物の適切な適用量も変動しうることは、当業者に理解されるところである。
【図１−１】
0005571577.tif 000033
【図１−２】
0005571577.tif 000034
【図１−３】
0005571577.tif 000035
【図１−４】
0005571577.tif 000036
【図１−５】
0005571577.tif 000037
【図２−１】
0005571577.tif 000038
【図２−２】
0005571577.tif 000039
【図２−３】
0005571577.tif 000040
【図２−４】
0005571577.tif 000041
【図２−５】
0005571577.tif 000042
【図２−６】
0005571577.tif 000043
【図３−１】
0005571577.tif 000044
【図３−２】
0005571577.tif 000045
【図３−３】
0005571577.tif 000046
【図３−４】
0005571577.tif 000047
【図３−５】
0005571577.tif 000048
【図３−６】
0005571577.tif 000049
【図３−７】
0005571577.tif 000050
【図４−１】
0005571577.tif 000051
【図４−２】
0005571577.tif 000052